(57)【要約】      （修正有）【課題】モバイル・デバイスがフェムトセルの選択を容易にするために提供された配備情報を記憶可能にする。【解決手段】ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を得ることができる。本方法はまた、前記セル情報をメモリに保持することを含むことができる。さらに、本方法は、少なくとも一つの検出されたセルに関連するセル特性の発見を容易にするために前記セル情報を使用することを含むことができる。また、セル特性を検出し、１又は複数の基地局から受信される信号の特性に少なくとも部分的に基づいて、ハンドオフ動作を調整するために使用されることができる。【選択図】図２
2014064303.tif 000002
【特許請求の範囲】
【請求項１】
モバイル・デバイスに提供されるセル情報を利用する方法において、
ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を得ることと、
前記セル情報をメモリに保持することと、
少なくとも一つの検出されたセルに関連するセル特性の発見を容易にするために前記セル情報を使用することを含む方法。
【請求項２】
サービング基地局を含むネットワークの識別情報を判定することと、
前記サービング基地局を含む前記ネットワーク内のセルに関連する配備情報及びセル特性情報を得るために、前記ネットワークの前記識別情報で前記セル情報を問い合わせることを更に含む請求項１の方法。
【請求項３】
前記モバイル・デバイスに関連する位置情報（該位置情報は、該モバイル・デバイスの地理的な位置を示す）を判定することと、
前記位置情報により示される前記地理的な位置の近くの前記セルに関連する配備情報及びセル特性情報を得るために、前記位置情報で前記セル情報を問い合わせることを更に含む請求項１の方法。
【請求項４】
前記基地局の１又は複数の特性を判定するために、前記基地局により送信された信号を解析することを更に含み、
前記１又は複数の特性は、前記基地局により使用される周波数、前記基地局により使用される擬似乱数雑音オフセット又は前記基地局により使用されるスクランブリング・コードのうちの少なくとも一つを含む請求項１の方法。
【請求項５】
前記１又は複数の特性を、前記セル情報中に含まれる配備情報と比較することと、
前記１又は複数の特性にマッチしている配備情報にマッピングされた前記セル情報中に含まれるセル特性情報に基づいて、前記基地局のセル特性を識別することを更に含む請求項４の方法。
【請求項６】
前記少なくとも一つの検出されたセルの前記セル特性が、改善されたサービス能力を示す場合に、前記少なくとも一つの検出されたセルの捕捉を試みることを更に含み、
前記捕捉は、ハンドオフの初期セル選択又は開始のうちの少なくとも一つを含む請求項１の方法。
【請求項７】
発見されたセル特性に基づいて、前記少なくとも一つの検出されたセルから受信される強い信号を無視することを更に含む請求項１の方法。
【請求項８】
前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する請求項１の方法。
【請求項９】
前記配備情報は、疑似乱数雑音オフセット、スクランブリング・コード、同期コード、物理セル識別情報、バンド・クラス、チャネル番号又は周波数のうちの少なくとも一つを指定する請求項１の方法。
【請求項１０】
前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する請求項１の方法。
【請求項１１】
前記セル情報を得ることは、前記提供メカニズムにより前記配備情報を受信することを含む請求項１の方法。
【請求項１２】
前記提供メカニズムは、無線による提供メカニズムを含む請求項１１の方法。
【請求項１３】
前記提供メカニズムは、インターネット・プロトコル・ネットワークを介したセル情報のダウンロードを含む請求項１１の方法。
【請求項１４】
前記提供メカニズムは、前記セル情報を保持するコンピュータ読み取り可能な記憶媒体を含む請求項１１の方法。
【請求項１５】
前記セル情報を得ることは、制御チャネル又はブロードキャスト・チャネルのうちの少なくとも一つの上で前記セル情報を受信することを含む請求項１の方法。
【請求項１６】
前記セル情報中に含まれないセルを検出することと、
前記セルに関連するネットワーク情報、配備情報又はセル特性情報のうちの少なくとも一つを、前記セル情報に付加することを更に含む請求項１の方法。
【請求項１７】
セル情報（該セル情報は、ネットワーク内の１又は複数のセルのネットワーク情報、配備情報及びセル特性情報を含み、該セル情報は、該ネットワーク情報、該配備情報及び該セル特性情報の間のマッピングを更に提供する）を取得する受信モジュールと、
前記１又は複数のセルからの受信信号の特性に少なくとも部分的に基づいて前記１又は複数のセルに関連するセル特性の発見を容易にするために前記セル情報を使用するセル評価モジュール（該セル評価モジュールは、受信信号の特性と、前記セル情報中に指定されたネットワーク情報、配備情報及びセル特性情報とを関連付ける）とを含む装置。
【請求項１８】
前記セル評価モジュールは、
前記装置にサービスする基地局を含むネットワークの識別情報を判定するネットワーク識別モジュールと、
特性（該特性は、周波数バンド、疑似乱数雑音オフセット又は同期コードのうちの少なくとも一つを含む）を評価するために、１又は複数の基地局からの受信信号を評価するパイロット情報モジュールと、
前記ネットワークの前記識別情報、又は、前記１又は複数の基地局からの前記受信信号の特性に基づいて、前記セル情報をフィルタリングする検索モジュールとを含む請求項１７の装置。
【請求項１９】
前記セル情報に含まれない基地局の識別情報で前記セル情報を補うインテリジェンス・モジュールを更に含む請求項１７の装置。
【請求項２０】
前記装置に関連する位置情報（該位置情報は、該位置情報により特定される位置の近くにあるセルを識別するために前記セル情報をフィルタリングするために使用される）を判定する位置モジュールを更に含む請求項１７の装置。
【請求項２１】
ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を得るための手段と、
前記セル情報をメモリに記憶するための手段と、
少なくとも一つの検出されたセルに関連するセル特性を識別するために前記セル情報を使用するための手段とを含む無線通信装置。
【請求項２２】
サービング基地局を含むネットワークの識別情報を判定するための手段と、
前記サービング基地局を含む前記ネットワーク内のセルに関連する配備情報及びセル特性情報を得るために、前記ネットワークの前記識別情報で前記セル情報を問い合わせるための手段とを更に含む請求項２１の無線通信装置。
【請求項２３】
モバイル・デバイスに関連する位置情報（該位置情報は、該モバイル・デバイスの地理的な位置を示す）を判定するための手段と、
前記位置情報により示される前記地理的な位置の近くの前記セルに関連する配備情報及びセル特性情報を得るために、前記位置情報で前記セル情報を問い合わせるための手段とを更に含む請求項２１の無線通信装置。
【請求項２４】
前記基地局の１又は複数の特性を判定するために、前記基地局により送信された信号を解析するための手段を更に含み、
前記１又は複数の特性は、前記基地局により使用される周波数、前記基地局により使用される擬似乱数雑音オフセット又は前記基地局により使用されるスクランブリング・コードのうちの少なくとも一つを含む請求項２１の無線通信装置。
【請求項２５】
前記１又は複数の特性を、前記セル情報中に含まれる配備情報と比較するための手段と、
前記１又は複数の特性にマッチしている配備情報にマッピングされた前記セル情報中に含まれるセル特性情報に基づいて、前記基地局のセル特性を識別するための手段とを更に含む請求項２４の無線通信装置。
【請求項２６】
前記少なくとも一つの検出されたセルの前記セル特性が、改善されたサービス能力を示す場合に、前記少なくとも一つの検出されたセルの取得を試みるための手段を更に含み、  前記取得は、ハンドオフの初期セル選択又は開始のうちの少なくとも一つを含む請求項２１の無線通信装置。
【請求項２７】
発見されたセル特性に基づいて、前記少なくとも一つの検出されたセルから受信される強い信号を無視するための手段を更に含む請求項２１の無線通信装置。
【請求項２８】
前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する請求項２１の無線通信装置。
【請求項２９】
前記配備情報は、疑似乱数雑音オフセット、スクランブリング・コード、同期コード、物理セル識別情報、バンド・クラス、チャネル番号又は周波数のうちの少なくとも一つを指定する請求項２１の無線通信装置。
【請求項３０】
前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する請求項２１の無線通信装置。
【請求項３１】
前記セル情報を得るための前記手段は、前記提供メカニズムにより前記配備情報を受信するための手段を含む請求項２１の無線通信装置。
【請求項３２】
前記提供メカニズムは、無線による提供メカニズムを含む請求項３１の無線通信装置。
【請求項３３】
前記提供メカニズムは、インターネット・プロトコル・ネットワークを介したセル情報のダウンロードを含む請求項３１の無線通信装置。
【請求項３４】
前記提供メカニズムは、前記セル情報を保持するコンピュータ読み取り可能な記憶媒体を含む請求項３１の無線通信装置。
【請求項３５】
前記セル情報を得るための前記手段は、制御チャネル又はブロードキャスト・チャネルのうちの少なくとも一つの上で前記セル情報を受信するための手段を含む請求項２１の無線通信装置。
【請求項３６】
前記セル情報中に含まれないセルを検出するための手段と、
前記セルに関連するネットワーク情報、配備情報又はセル特性情報のうちの少なくとも一つを、前記セル情報に付加するための手段とを更に含む請求項２１の無線通信装置。
【請求項３７】
少なくとも一つのコンピュータに、無線による提供を介して少なくとも一つの基地局からのセル情報（該セル情報は、ネットワーク内の１又は複数のセルのネットワーク情報、配備情報及びセル特性情報を含み、該セル情報は、該ネットワーク情報、該配備情報及び該セル特性情報の間のマッピングを更に提供する）を取得させるためのコードと、
少なくとも一つのコンピュータに、前記セル情報を保持させるためのコードと、
少なくとも一つのコンピュータに、基地局の１又は複数の特性を判定するために、該基地局からの信号を解析させるためのコードと、
少なくとも一つのコンピュータに、前記基地局に関連するセル特性を識別するために、前記基地局の１又は複数の特性と前記セル情報とを関連付けさせるためのコードとを含むコンピュータ読み取り可能な媒体を含むコンピュータ・プログラム製品。
【請求項３８】
前記コンピュータ読み取り可能な媒体は、
少なくとも一つのコンピュータに、サービング基地局を含むネットワークの識別情報を判定させるためのコードと、
少なくとも一つのコンピュータに、前記ネットワークの前記識別情報に少なくとも部分的に基づいて、前記基地局の前記１又は複数の特性と、前記セル情報とを関連付けさせるためのコードとを更に含む請求項３７のコンピュータ・プログラム製品。
【請求項３９】
前記コンピュータ読み取り可能な媒体は、
少なくとも一つのコンピュータに、モバイル・デバイスに関連する位置情報を判定させるためのコードと、
少なくとも一つのコンピュータに、前記位置情報に少なくとも部分的に基づいて、前記基地局の前記１又は複数の特性と、前記セル情報とを関連付けさせるためのコードとを更に含む請求項３７のコンピュータ・プログラム製品。
【請求項４０】
前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する請求項３７のコンピュータ・プログラム製品。
【請求項４１】
前記配備情報は、疑似乱数雑音オフセット、スクランブリング・コード、同期コード、物理セル識別情報、バンド・クラス、チャネル番号又は周波数のうちの少なくとも一つを指定する請求項３７のコンピュータ・プログラム製品。
【請求項４２】
前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する請求項３７のコンピュータ・プログラム製品。
【請求項４３】
ネットワーク内の１又は複数のセルのネットワーク情報、配備情報及びセル特性情報を含むセル情報（該セル情報は、該ネットワーク情報、該配備情報の間のマッピングを更に提供する）を取得し、
前記セル情報をメモリに記憶し、
少なくとも一つの検出されたセルに関連するセル特性を発見するために前記セル情報を利用するように構成されたプロセッサを含む無線通信装置。
【請求項４４】
前記プロセッサは、
サービング基地局を含むネットワークの識別情報を判定し、
前記ネットワークに関連する１又は複数のセルの配備情報及びセル特性を得るために、前記ネットワークの前記識別情報で前記セル情報を問い合わせるように更に構成された請求項４３の無線通信装置。
【請求項４５】
前記プロセッサは、
モバイル・デバイスに関連する位置情報を判定し、
前記位置情報により特定される位置の近くにある１又は複数のセルの配備情報及びセル特性を得るために、前記位置情報で前記セル情報を問い合わせるように更に構成された請求項４３の無線通信装置。
【請求項４６】
前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する請求項４３の無線通信装置。
【請求項４７】
前記配備情報は、疑似乱数雑音オフセット、スクランブリング・コード、同期コード、物理セル識別情報、バンド・クラス、チャネル番号又は周波数のうちの少なくとも一つを指定する請求項４３の無線通信装置。
【請求項４８】
前記セル特性情報は、セルのカバレージエリア、セルの送信電力、セルがオープン又はクローズのアソシエーションを有するかどうか、セルがフェムトセル又はマクロセルのうちの一つであるどうかのうちの少なくとも一つを指定する請求項４３の無線通信装置。
【発明の詳細な説明】
【技術分野】
【０００１】
（関連出願の相互参照）
この出願は、２００８年８月２２日付け提出された「SYSTEMS AND METHODS TO CONVEY FEMTO CELL DEPLOYMENT INFORMATION TO MOBILE STATIONS USING PROVISIONING ALGORITHMS」と題された米国仮出願第６１／０９１，２３０号の利益を主張する。上記の出願の全体は、参照によって本明細書に組み込まれる。
【０００２】
（技術分野）
以下の説明は、一般に無線通信に関し、より詳しくはモバイル・デバイスがフェムトセルの選択を容易にするために提供された配備情報を記憶するのを可能にすることに関する。
【背景技術】
【０００３】
様々なタイプの通信コンテンツ（例えば、ボイス及びデータ）を提供するために無線通信システムが広く配備されることがあり、典型的な無線通信システムは、利用できるシステム資源（例えば、バンド幅、送信電力、…）を共有することによって複数のユーザとの通信をサポートすることができる多元接続システムであることがある。そのようなマルチアクセス・システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含んでも良い。さらに、システムは、例えば、第３世代パートナーシッププロジェクト（３ＧＰＰ）、３ＧＰＰ２、３ＧＰＰ、ロングタームエボリューション（ＬＴＥ）、ＬＴＥアドバンスト（ＬＴＥ−Ａ）などのような仕様に準拠することができる。
【０００４】
ハイレート及びマルチメディア・データ・サービスに対する要求が急激に増大するにつれて、強化されたパフォーマンスをもつ効率的且つ頑強な（robust）通信システムの実装に向けた取り組みがあった。例えば、近年、ユーザは、固定回線通信（fixed line communications）をモバイル通信に置き換え始め、ますます、高い音声品質、信頼できるサービス及び低価格を要求した。
【０００５】
現在配備されているモバイル電話ネットワークに加えて、新たな種類（class）の小型基地局（small base stations）が出現してきた。それは、ユーザの家庭（home）に設置されることができ、また、既存のブロードバンド・インターネット接続を使用してモバイル・ユニットに屋内の無線カバレージを提供することができる。そのようなパーソナルな小規模基地局（miniature base stations）は、一般に、アクセスポイント基地局又はその代わりにホームＮｏｄｅ Ｂ（ＨＮＢ）若しくはフェムトセルとして知られている。一般的に、そのような小規模基地局は、デジタル加入者回線（ＤＳＬ）ルータ、ケーブルモデム又はその種の他のものを介してインターネット及びモバイルオペレータのネットワークに接続される。
【０００６】
無線通信システムは、一連の無線アクセスポイントを含むように構成されることができる。それらは、システム内のそれぞれの位置のためのカバレージを提供することができる。そのようなネットワーク構造は、一般に、セルラー・ネットワーク構造と呼ばれ、アクセスポイント及び／又はそれらがネットワーク中でそれぞれサービスする位置は、一般に、セルと呼ばれる。ネットワークは、より大きなエリアをカバーするマクロセルに加えてフェムトセルを含むことができる。信号の強さは、一般的に、それが通信された距離が増加するにつれて、減少するので、ネットワーク・ユーザは、様々な状況の下で、ユーザからより遠くに離れて位置するセルと比較して、物理的にユーザの近くに位置するセルと、実質的に強い信号を交換することができる。しかし、フェムトセルの場合、モバイル・デバイスの移動性及びフェムトセルの相対的により小さなカバレージエリアに起因して、強い信号は一時的である可能性がある。例えば、高移動性ネットワーク・ユーザは、フェムトセルのカバレージエリアに速く入出する可能性がある。強い信号がフェムトセルを起源とすることが知られていないので、フェムトセルの捕捉（acquisition）において、不必要なバッテリー及び／又は無線資源が利用される可能性がある。
【発明の概要】
【０００７】
以下は、そのような実施形態の基本的な理解を提供するために、１又は複数の実施形態の簡略化された概要を示す。この概要は、すべての予期される実施形態の外延的な概要であるというわけではなく、また、すべての実施形態の鍵となる又は重要な要素を識別することも、一部又は全部の実施形態の範囲を線引きすることも、いずれも意図されていない。その唯一の目的は、後で示されるより詳しい説明への前置きとして１又は複数の実施形態の幾つかの概念を簡略化された形で提示することである。
【０００８】
一つの態様に従って、モバイル・デバイスに提供されるセル情報を利用する方法が本明細書で説明される。本方法は、ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を得ることを含むことができる。本方法はまた、前記セル情報をメモリに保持することを含むことができる。さらに、本方法は、少なくとも一つの検出されたセルに関連するセル特性の発見を容易にするために前記セル情報を使用することを含むことができる。
【０００９】
本明細書で説明される第２の態様は装置に関係する。本装置は、セル情報（該セル情報は、ネットワーク内の１又は複数のセルのネットワーク情報、配備情報及びセル特性情報を含み、該セル情報は、該ネットワーク情報、該配備情報及び該セル特性情報の間のマッピングを更に提供する）を取得する受信モジュールを含むことができる。本装置は、前記１又は複数のセルからの受信信号の特性に少なくとも部分的に基づいて前記１又は複数のセルに関連するセル特性の発見を容易にするために前記セル情報を使用するセル評価モジュール（該セル評価モジュールは、受信信号の特性と、前記セル情報中に指定されたネットワーク情報、配備情報及びセル特性情報とを関連付ける）を更に含むことができる。
【００１０】
第３の態様は無線通信装置に関係する。本無線通信装置は、ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を得るための手段を含むことができる。本無線通信装置はまた、前記セル情報をメモリに記憶するための手段を含むことができるまた。さらに、本無線通信装置は、少なくとも一つの検出されたセルに関連するセル特性を識別するために前記セル情報を使用するための手段を含むことができる。
【００１１】
本明細書で説明される第４の態様は、コンピュータ・プログラム製品に関係し、それは、少なくとも一つのコンピュータに、無線による提供を介して少なくとも一つの基地局からのセル情報（該セル情報は、ネットワーク内の１又は複数のセルのネットワーク情報、配備情報及びセル特性情報を含み、該セル情報は、該ネットワーク情報、該配備情報及び該セル特性情報の間のマッピングを更に提供する）を取得させるためのコードを含むコンピュータ読み取り可能な媒体を含むことができる。該コンピュータ読み取り可能な媒体は、少なくとも一つのコンピュータに、前記セル情報を保持させるためのコードを更に含むことができる。該コンピュータ読み取り可能な媒体はまた、少なくとも一つのコンピュータに、基地局の１又は複数の特性を判定するために、該基地局からの信号を解析させるためのコードを含むことができる。さらに、該コンピュータ読み取り可能な媒体は、少なくとも一つのコンピュータに、前記基地局に関連するセル特性を識別するために、前記基地局の１又は複数の特性と前記セル情報とを関連付けさせるためのコードを含むことができる。
【００１２】
第５の態様は、ネットワーク内の１又は複数のセルのネットワーク情報、配備情報及びセル特性情報を含むセル情報（該セル情報は、該ネットワーク情報、該配備情報の間のマッピングを更に提供する）を取得するように構成されたプロセッサを含む無線通信装置に関係する。該プロセッサは、前記セル情報をメモリに記憶するように更に構成されることができる。さらに、該プロセッサは、少なくとも一つの検出されたセルに関連するセル特性を発見するために前記セル情報を利用するように構成されることができる。
【００１３】
前述の目的及び関係する目的の達成のために、１又は複数の実施形態は、以下に十分に説明され、特に特許請求の範囲において指摘された特徴を包含する。以下の説明及び添付された図面は、１又は複数の実施形態の幾つかの説明的な態様を説明する。これらの態様は、しかし、様々な実施形態の原理が使用され得る様々な方法のうちのほんの数例を示す。また、説明された実施形態は、すべてのそのような態様及びそれらの均等物を含むことが意図される。
【図面の簡単な説明】
【００１４】
【図１】図１は、本明細書で説明される様々な態様に従う無線通信システムの説明図である。
【図２】図２は、様々な態様に従ってモバイル・デバイスへのセル情報の伝搬（dissemination）を容易にする例示的なシステムを示す。
【図３】図３は、１又は複数の態様に従って無線通信ネットワークにおいてセル特性（cell characteristics）の検出（detection）及び／又は発見（discovery）を容易にする例示的なシステムの説明図である。
【図４】図４は、様々な態様に従って位置情報に基づいてセル特性の識別を容易にする例示的な無線通信システムの説明図である。
【図５】図５は、様々な態様に従ってモバイル・デバイスに提供（provisioned）されるセル情報に基づいてセル特性を発見するための例示的な手順の説明図である。
【図６】図６は、様々な態様に従ってセル情報に基づいてセルの特性を識別するための例示的な手順の説明図である。
【図７】図７は、様々な態様に従ってセル情報に基づいてセルを選択するための及び／又はセルに対するハンドオフ動作を開始するための例示的な手順の説明図である。
【図８】図８は、態様に従ってセル特性発見を可能にする例示的なシステムの説明図である。
【図９】図９−１０は、本明細書で説明される機能性の様々な態様を実装するために利用されることができるそれぞれの無線通信デバイスのブロック図である。
【図１０】図９−１０は、本明細書で説明される機能性の様々な態様を実装するために利用されることができるそれぞれの無線通信デバイスのブロック図である。
【図１１】図１１は、様々な態様に従って例示的な無線通信システムを示す。
【図１２】図１２は、無線ネットワーク環境内のアクセスポイント基地局の配備を可能にする例示的なシステムを示す。
【図１３】図１３は、トラッキング・エリア（tracking areas）を含む例示的なカバレージ・マップを示す。
【図１４】図１４は、本明細書で説明される様々な態様が機能することができる例示的な無線通信システムを示すブロック図である。
【詳細な説明】
【００１５】
さて、様々な実施形態が図面を参照して説明される。ここで、全体にわたって同様のエレメントを指し示すために同様の参照番号が使用される。以下の記述では、説明の目的のために、多数の特定の細部が、１又は複数の実施形態の深い理解を与えるために説明される。しかし、そのような（１又は複数の）実施形態がこれら特定の細部なしに実施されることができることは明らかであろう。他のインスタンスにおいて、１又は複数の実施形態の説明を容易にするために、良く知られた構造及びデバイスが、ブロック図の形で示される。
【００１６】
この出願において用いられる用語“コンポーネント（component）”、“モジュール（module）”、“システム（system）”及び同類のものは、例えばハードウェア、ファームウェア、ハードウェアとソフトウェアの組み合わせ、ソフトウェア又は実行中のソフトウェアのような、コンピュータ関連のエンティティーを指すことを意図されている。例えば、コンポーネントは、プロセッサ上で動作するプロセス、プロセッサ、オブジェクト、実行ファイル（executable）、実行のスレッド、プログラム、及び／又は、コンピュータであっても良い（ただし、これらに制限されるものではない）。例として、コンピュータ・デバイス上で動作するアプリケーションと、そのコンピュータ・デバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインターラクトする、一つのコンポーネントからのデータ）を持つ信号に従うような、ローカルプロセス及び／又はリモートプロセスを経由して、通信することができる。
【００１７】
この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、集積回路、オブジェクト、実行ファイル（executable）、実行のスレッド、プログラム、及び／又は、コンピュータであっても良い（ただし、これらに制限されるものではない）。例として、コンピュータ・デバイス上で動作するアプリケーションと、そのコンピュータ・デバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインターラクトする、一つのコンポーネントからのデータ）を持つ信号に従うような、ローカルプロセス及び／又はリモートプロセスを経由して、通信することができる。
【００１８】
さらにまた、無線端末及び／又は基地局に関連して様々な態様が本明細書で説明される。無線端末は、ボイス及び／又はデータ接続性をユーザに提供するデバイスを指し示すことができる。無線端末は、例えばラップトップ・コンピュータ又はデスクトップ・コンピュータのようなコンピュータ・デバイスに接続されることができ、又は、それは、例えば携帯情報端末（ＰＤＡ）のような自己完結型の（self contained）デバイスであることができる。無線端末はまた、システム、加入者ユニット、加入者設備、モバイル局、モバイル、リモート局、アクセスポイント、リモート端末、アクセス端末、ユーザ端末、ユーザ・エージェント、ユーザデバイス又はユーザ装置（ＵＥ）と呼ばれることができる。無線端末は、加入者設備、無線デバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、無線接続機能を有するハンドヘルド・デバイス又は無線モデムに接続される他の処理デバイスであることができる。基地局（例えば、アクセスポイント、Ｎｏｄｅ Ｂ又は発展型Ｎｏｄｅ Ｂ（evolved Node B）（ｅＮＢ））は、１又は複数のセクターを介してエアーインタフェース上で無線端末と通信するアクセスネットワーク中のデバイスを指し示すことができる。基地局は、無線端末とアクセスネットワークの他の無線端末との間のルータとして動作することができる。アクセスネットワークは、受信されたエアーインタフェース・フレームをＩＰパケットに変換することによって、インターネット・プロトコル（ＩＰ）ネットワークを含むことができる。基地局はまた、エアーインタフェースに関する属性（attributes）の管理を調整（coordinates）する。
【００１９】
さらに、本明細書で説明される機能は、ハードウェア、ソフトウェア、ファームウェア又はそれらの任意の組み合せにおいて実装されても良い。ソフトウェアで実装される場合には、機能は、１又は複数のインストラクション又はコードとして、コンピュータ読み取り可能な媒体に格納されても良く、又は、コンピュータ読み取り可能な媒体をわたって伝えられても良い。コンピュータ読み取り可能な媒体は、一つの場所から他の場所へのコンピュータ・プログラムの転送を容易にする任意の媒体を含むコンピュータ記憶媒体及び通信媒体の両方を含む。記憶媒体は、コンピュータによってアクセスできる任意の利用可能な媒体であることができる。制限ではなく、例として、上記コンピュータ読み取り可能な媒体は、ＲＡＭ、ＲＯＭ、ＥＥＰＲＯＭ、ＣＤ−ＲＯＭ、他の光ディスク記憶装置、磁気ディスク記憶装置若しくは他の磁気記憶装置、又は、インストラクション若しくはデータ構造の形で所望のプログラム・コードを伝えるかか若しくは記憶するのに使用でき、且つ、コンピュータによってアクセスできる任意の他の媒体を含むことができる。また、任意のコネクションは、コンピュータ読み取り可能な媒体と適切に呼ばれる。例えば、同軸ケーブル、光ファイバーケーブル、ツイストペア、デジタル加入者線（ＤＳＬ）、又は、例えば赤外線、無線、マイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線、マイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）を含む。ここで、ディスク（disks）は、通常、磁気的にデータを再生（reproduce）し、一方、ディスク（discs）は、レーザーを使って光学的にデータを再生する。上記の組合せはまた、コンピュータ読み取り可能な媒体の範囲に含まれるべきである。
【００２０】
本明細書で説明される様々な技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一のキャリアＦＤＭＡ（ＳＣ−ＦＤＭＡ）システム及びその他のそのようなシステムのような、様々な無線通信システムのために使用されることができる。用語“システム”及び“ネットワーク”は、互換的に本明細書でしばしば使用される。ＣＤＭＡシステムは、ユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ）及びＣＤＭＡの他の変形を含む。さらに、ＣＤＭＡ２０００は、ＩＳ−２０００標準、ＩＳ−９５標準及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）などのような無線技術を実装することができる。ＵＴＲＡ及びＥ−ＵＴＲＡは、ユニバーサル移動通信システム（ＵＭＴＳ）の一部である。３ＧＰＰロングタームエボリューション（ＬＴＥ）は、ＥＵＴＲＡを使用するやがて公開されるリリースである。それは、ダウンリンク上でＯＦＤＭＡを、アップリンク上でＳＣ−ＦＤＭＡを使用する。ＵＴＲＡ、Ｅ−ＵＴＲＡ、ＵＭＴＳ、ＬＴＥ及びＧＳＭは、“第３世代パートナーシッププロジェクト」（３ＧＰＰ）と言う名前の団体からのドキュメントに記載されている。さらに、ＣＤＭＡ２０００及びＵＭＢは、“第３世代パートナーシッププロジェクト２”（３ＧＰＰ２）と言う名前の団体からのドキュメントに記載されている。さらに、そのような無線通信システムは、更に、ペアでないライセンスされていないスペクトラム（unpaired unlicensed spectrums）、８０２．ｘｘ無線ＬＡＮ、ＢＬＵＥＴＯＯＴＨ（登録商標）及び任意の他の短距離又は長距離の無線通信技術をしばしば使用するピア・ツー・ピア（例えば、モバイル・ツー・モバイル）のアドホックなネットワーク・システムを含んでも良い。
【００２１】
さらに、用語“又は（or）”は、排他的な“又は（or）”よりはむしろ包含的な“又は（or）”を意味することが意図される。つまり、明記され又は文脈から明らかでない限り、“ＸはＡ又はＢを使用する（X employs A or B）”というフレーズは、自然な包含的な置き換えのいずれをも意味することが意図される。つまり、“ＸはＡ又はＢを使用する（X employs A or B）”というフレーズは、以下の例のいずれによっても満たされる：ＸはＡを使用する；ＸはＢを使用する；又は、ＸはＡ及びＢの両方を使用する。さらに、この明細書及び添付のクレームにおいて使用される冠詞“一つの（a）”及び“一つの（an）”は、単数形が指示されるべきことが明記され又は文脈から明らかでない限り、通常、“１又は複数（one or more）”を意味するものと解釈されるべきである。
【００２２】
様々な態様は、幾つかのデバイス、コンポーネント、モジュールなどを含むことができるシステムに関して示される。様々なシステムは、更なるデバイス、コンポーネント、モジュールなどを含むことができ、及び／又は、図面に関連して説明されるデバイス、コンポーネント、モジュールなどのすべては含まないことができることは、理解及び認識されるべきである。これらのアプローチの組み合せはまた、使用されることができる。
【００２３】
さて、図１を参照して、本明細書で提示される様々な実施態様に従って無線通信システム１００が説明される。システム１００は、複数のアンテナ・グループを含むことができる基地局（例えば、アクセスポイント）１０２を含む。例えば、一つのアンテナ・グループは、アンテナ１０４及び１０６を含むことができ、他のグループは、アンテナ１０８及び１１０を含むことができ、更なるグループは、アンテナ１１２及び１１４を含むことができる。各々のアンテナ・グループごとに２つのアンテナが示されている；しかし、各々のグループについてより多くのアンテナ又はより少ないアンテナが利用されることができる。基地局１０２は、更に送信機チェーン及び受信機チェーンを含むことができる。送信機チェーン及び受信機チェーンの各々は、信号の送信及び受信に関連する複数のコンポーネント（例えば、プロセッサ、変調器、マルチプレクサ、復調器、デマルチプレクサ、アンテナ、その他）を含むことができる。これは当業者により認識されるであろう。
【００２４】
基地局１０２は、１又は複数のＵＥ（例えば、ＵＥ１１６及びＵＥ１２２）と通信することができる；しかし、基地局１０２は、ＵＥ１１６及び１２２に類似する実質的に任意の数のＵＥと通信することができることは、認識されるべきである。ＵＥ１１６及び１２２は、例えば、セルラー電話、スマート・フォン、ラップトップ、ハンドヘルド・デバイス、ハンドヘルド・コンピュータ・デバイス、衛星ラジオ、グローバル・ポジショニング・システム、ＰＤＡ、及び／又は、無線通信システム１００上で通信するための任意の他の適切なデバイスであることができる。表されるように、ＵＥ１１６は、アンテナ１１２及び１１４と通信する。ここで、アンテナ１１２及び１１４は、ダウンリンク１１８上でＵＥ１１６へ情報を送信し、アップリンク１２０上でＵＥ１１６から情報を受信する。さらに、ＵＥ１２２は、アンテナ１０４及び１０６と通信する。ここで、アンテナ１０４及び１０６は、ダウンリンク１２４上でＵＥ１２２へ情報を送信し、アップリンク１２６上でＵＥ１２２から情報を受信する。周波数分割双方向（ＦＤＤ）システムにおいて、例えば、ダウンリンク１１８は、アップリンク１２０により使用される周波数バンドとは異なる周波数バンドを利用することができ、ダウンリンク１２４は、アップリンク１２６により使用される周波数バンドとは異なる周波数バンドを使用することができる。さらに、時分割双方向（ＴＤＤ）システムにおいて、ダウンリンク１１８及びアップリンク１２０は、共通の周波数バンドを利用することができ、ダウンリンク１２４及びアップリンク１２６は、共通の周波数バンドを利用することができる。
【００２５】
各々のアンテナ・グループ及び／又はそれらが通信することを指定されるエリアは、基地局１０２のセクターと呼ばれることができる。例えば、アンテナ・グループは、基地局１０２によりカバーされるエリアのセクターにおいてＵＥと通信するようにデザインされることができる。ダウンリンク１１８及び１２４上の通信において、基地局１０２の送信アンテナは、ＵＥ１１６及び１２２のためのダウンリンク１１８及び１２４の信号対雑音比を改善するために、ビームフォーミングを利用することができる。また、基地局１０２が、関連するカバレージの全体にわたってランダムに散在するＵＥ１１６及び１２２と送信するためにビームフォーミングを利用する間、近隣のセルにおけるＵＥは、すべてのそのＵＥへ単一アンテナを通して送信している基地局と比較して、より少ない干渉を受けることができる。さらに、ＵＥ１１６及び１２２は、ピア・ツー・ピア又はアドホック技術（図示せず）を使用して、互いに直接通信することができる。
【００２６】
一つの例に従って、システム１００は多、重入力多重出力（ＭＩＭＯ）通信システムであることができる。さらに、システム１００は、例えばＦＤＤ、ＦＤＭ、ＴＤＤ、ＴＤＭ、ＣＤＭなどのような通信チャネル（例えば、ダウンリンク、アップリンク、…）を分割するために、実質的に任意のタイプの二重化技術（duplexing technique）を利用することができる。さらに、複数の通信チャネルは、それらチャネル上の複数のデバイス又はＵＥとの同時通信を可能にするために、直交されることができる；一つの例において、ＯＦＤＭは、この観点において、利用されることができる。それゆえ、チャネルは、タイム・ピリオドにわたって複数の周波数の部分に分割されることができる。さらに、フレームは、一群のタイム・ピリオドにわたる複数の周波数の部分として定義されることができる；それゆえ、例えば、１つのフレームは、幾つかのＯＦＤＭシンボルからなることができる。基地局１０２は、様々なタイプのデータのために生成されることができる各チャネル上でＵＥ１１６及び１２２と通信することができる。例えば、チャネルは、様々なタイプの一般的な通信データ、制御データ（例えば、他のチャネルのための品質情報、チャネル上で受信されるデータのための肯定応答表示（acknowledgement indicators）、干渉情報、基準信号など）及び／又は同様のもののために生成されることができる。
【００２７】
一つの例において、基地局１０２は、マクロセル基地局であることができる。さらに、小規模基地局１２８が提供され、それは、フェムトセル、ピコセル、リレー・ノード及び／又は同様のものであることができる。小規模基地局１２８は、基地局１０２の技術に類似する技術を使用して、ＵＥと通信することができる。例えば、小規模基地局１２８は、同様に無線通信上のチャネルを定義することができ、また、アップリンク１３４上で受信している間、ダウンリンク１３２上で１又は複数のＵＥ（例えばＵＥ１３０）へ送信することができる。ネットワーク・オペレータ（例えば、基地局及び／又はモバイル・デバイスを介して無線通信ネットワーク上でユーザに対して無線通信サービスを提供する実体）は、ユーザに対してサービスを提供することが可能な無線通信ネットワークを構成（organize）するために、１又は複数の基地局（例えば、基地局１０２）を配備することができる。さらに、ネットワーク・オペレータは、無線通信ネットワークを補うために、１又は複数のフェムトセル（例えば、小規模基地局１２８）を配備することができる。他の態様において、フェムトセルの配備は、計画されていない（unplanned）ものであることができ、また、ユーザにより実施されることができる。例えば、ユーザは、小規模基地局１２８を取得して住居（residence）又はオフィスに設置することができる。
【００２８】
フェムトセルの計画されていない配備は、マクロセルラー・メカニズム（例えば、マクロセル基地局１０２に関連するサービス）を乱す可能性があり、及び／又は、モバイル・デバイスの一部（例えば、ＵＥ１１６及び１２２）に非効率的な資源利用をもたらす可能性がある。一つの例において、モバイル・デバイスがフェムトセルのカバレージエリアを入出するとき、計画されていない配備は頻繁なハンドオーバ状況をもたらす可能性がある。そのような頻繁なハンドオーバは、通信における混乱（disruptions）（例えば、電話の通話途切れ（dropped calls））を生む可能性がある。他の例では、モバイル・デバイスが、フェムトセルから強い信号を検出し、アイドル・ハンドオフ及び該フェムトセルへの登録を実行しようとする場合に、モバイル・デバイスのバッテリー資源は、アイドル期間の間に、ますます利用される可能性がある。しかし、フェムトセルの制限されたカバレージエリアに起因して、フェムトセル信号は、他のセルを検出し、捕捉し、登録するために、モバイル・デバイスが更なる電力資源を消費することを必要として、速くフェードする（fade）可能性がある。
【００２９】
一つの態様に従って、セルの識別及び識別されたセルのセル特性の発見を容易にするために、セル情報がＵＥ１１６及び１２２に提供（provisioned）されることができる。一つのインスタンスにおいて、セル情報は、セルの選択及び／又はセルがハンドオフのための候補であるかどうかを容易にすることができる。さらに、セル情報は、ある領域において、特定のセル（例えば、クローズの加入者グループ（closed subscriber groups）をもつフェムトセル）を無視するために使用されることができる。セル情報は、１又は複数のネットワークにおけるセルにより使用される周波数及び／又は周波数のバンドを含むことができる。さらに、セル情報は、個々のセルのパイロット特性（pilot characteristics）を含むことができる。例えば、個々のセルの擬似乱数雑音（pseudo-random noise）（ＰＮ）オフセットは、セル情報中で指定されることができる。他の例では、１又は複数のネットワークにおけるセルの物理セル識別子（ＩＤ）に加えてスクランブリング・コード（例えば、一次スクランブリング・コード及び／又は二次スクランブリング・コード）が含まれることができる。
【００３０】
他の態様において、無線通信ネットワークの提供メカニズム（provisioning mechanisms）は、セル情報をＵＥ１１６及び１２２へ送信するために、利用されることができる。一つの例において、無線による提供技術（over-the-air provisioning techniques）（例えば、無線によるサービス提供（over-the-air service provisioning）（ＯＴＡＳＰ）、インターネットベース無線（Internet-based over-the-air）（ＩＯＴＡ）提供、オープン・モバイル・アライアンス（Open Mobile Alliance）（ＯＭＡ）デバイス・マネージメント（device management）（ＤＭ）及び／又はショート・メッセージ・サービス（ＳＭＳ））は、セル情報をＵＥ１１６及び／又は１２２に提供するために、基地局１０２及び／又は小規模基地局１２８により利用されることができる。例えば、優先ユーザ・ゾーン・リスト（preferred user zone list）（ＰＵＺＬ）は、セル情報に適応するために、修正及び／又は拡張されることができる。セル情報を含むＰＵＺＬは、無線による提供を介して、ＵＥ１１６及び／又は１２２にダウンロードされることができる。セル情報が様々なメカニズムによりＵＥ１１６及び／又は１２２に提供されることができることは認識されるべきである。例えば、ＵＥ１１６及び／又は１２２は、セル情報を得るために、有線ネットワーク又は無線ＩＰネットワークに接続されることができる。他の例では、ＵＥ１１６及び１２２は、セル情報をプログラムする機械に接続されることができる。さらに、セル情報は、メモリ・モジュール、ディスケット、ＣＤ、ＤＶＤ、加入者識別モジュール（ＳＩＭ）又は他のコンピュータ読み取り可能な記憶媒体の上で提供されることができる。さらに他の例では、ユーザは、マニュアルで、セル情報をＵＥ１１６及び１２２に入力することができる。
【００３１】
図２を参照して、様々な態様に従ってモバイル・デバイスへのセル情報の伝搬（dissemination）を容易にする無線通信システム２００が示される。図２に示されるように、システム２００は、１又は複数の基地局２２０と通信することができる１又は複数のユーザ装置ユニット（ＵＥ）２１０を含むことができる。図２においては、１つのＵＥ２１０及び１つの基地局２２０のみが示されているが、システム２００は任意の数のＵＥ２１０及び／又は基地局２２０を含むことができることは認識されるべきである。一つの態様に従って、基地局２２０は、順方向リンク又はダウンリンク・チャネル上でＵＥ２１０へ情報を送信することができ、また、ＵＥ２１０は、逆方向リンク又はアップリンク・チャネル上で基地局２２０へ情報を送信することができる。システム２００が、ＯＦＤＭＡ無線ネットワーク、ＣＤＭＡネットワーク、３ＧＰＰ ＬＴＥ又はＬＴＥ−Ａ無線ネットワーク、３ＧＰＰ２ ＣＤＭＡ２０００ネットワークなどにおいて、オペレートすることができることは、認識されるべきである。
【００３２】
ＵＥ２１０は、セル情報を得る受信モジュール２１２を含むことができる。さらに、ＵＥ２１０は、セル情報を記憶するのを容易にする記憶モジュール２１４を含むことができる。セル情報は、例えば、コンピュータ読み取り可能な記憶媒体（例えば、メモリ２１８、スマートカード、加入者識別モジュール（ＳＩＭ）カード又はその種の他のもの）中のセル情報２１９のように、ＵＥ２１０に記憶されることができ又はＵＥ２１０に関連付けることができる。
【００３３】
一つの態様において、セル情報は、提供モジュール（provision module）２２２からＵＥ２１０へダウンロードされることができる。提供モジュール２２２は、例えば、無線通信ネットワーク内のアプリケーション・サーバであることができる。しかし、提供モジュール２２２は、１又は複数のモバイル・デバイス（例えばＵＥ２１０）に対する効率的且つ迅速な提供を可能にするために、基地局２２０に組み込まれることができることは、認識されるべきである。一つの態様に従って、提供モジュール２２２は、ＵＥ２１０へセル情報を送信するために、無線による提供技術を使用することができる。例えば、提供モジュール２２２は、無線通信チャネルを介してＵＥ２１０に送信する基地局２２０へ、セル情報を提供することができる。例えば、提供モジュール２２２は、配備情報（deployment information）を伝達するために、無線によるサービス提供（ＯＴＡＳＰ）を利用することができる。他の例では、ＯＴＡＳＰを介してダウンロードされる優先ユーザ・ゾーン・リスト（ＰＵＺＬ）は、一般的に、セル情報に適応するために、修正及び／又は拡張されることができる。この例に従って、ＵＥ２１０の受信モジュール２１２は、セル情報及び／又はセル情報を組み込むＰＵＺＬの送信を容易にするために、ＯＴＡＳＰクライアントとしてオペレートすることができる。他の無線による提供技術が使用されることができることは認識されるべきである。例えば、インターネットベース無線（ＩＯＴＡ）提供、オープン・モバイル・アライアンス（ＯＭＡ）デバイス・マネージメント（ＤＭ）、ショート・メッセージ・サービス（ＳＭＳ）又はその種の他のものは、ＵＥ２１０にセル情報を伝達するために、提供モジュール２２２により利用されることができる。
【００３４】
他の例に従って、制御チャネル及び／又はブロードキャスト・チャネルは、セル情報を伝達するために使用されることができる。例えば、ＵＥ２１０は、基地局２２０からのサービスの検出及び捕捉に応じて、制御チャネル伝送によりセル情報を受信することができる。他の例では、提供モジュール２２２は、基地局２２０によりサービスされるＵＥ２１０及び他のＵＥ（図示せず）へブロードキャスト・チャネルを介してセル情報を送信するために、基地局２２０を利用することができる。さらにもう一つの態様において、基地局２２０は、ＵＥ２１０に割り当てられたダウンリンク・データ・チャネルを介してＵＥ２１０へセル情報を送信することができることは、認識されるべきである。さらに、セル情報の伝送は、自動的であることもでき、又は、ＵＥ２１０による要求に応じることもできることは、認識されるべきである。
【００３５】
一つの態様において、セル情報２１９は、様々な情報セット及び／又は情報セット間の関連（associations）を含むことができる。一つの例において、セル情報２１９は、ネットワーク／エリア情報、配備情報及び／又はセル特性を含むことができる。ネットワーク／エリア情報は、無線通信ネットワーク及び／又は地理的エリアを識別する情報を指定することができる。例えば、セル情報２１９中のネットワーク／エリア情報は、システム識別（ＳＩＤ）番号、ネットワーク識別（ＮＩＤ）番号、モバイル国コード（ＭＣＣ）、モバイル・ネットワーク・コード（ＭＮＣ）、公衆地上モバイル・ネットワーク（public land mobile network）（ＰＬＭＮ）識別子又はロケーション・エリア（例えば、ある緯度・経度点の周囲の円形エリア）を含むことができる。セル情報２１９に含まれる配備情報は、パイロット情報及び／又はセル識別情報を含むことができる。例えば、配備情報は、疑似乱数（ＰＮ）オフセット、スクランブリング・コード及び／又は物理セル識別子（ＰＣＩ）を含むことができる。さらに、配備情報は、周波数（例えば、ＣＤＭＡチャネル番号、無線周波数チャネル番号（ＲＦＣＮ）、絶対無線周波数チャネル番号（ＡＲＦＣＮ）、発展型ＡＲＦＣＮ（evolved ARFCN）（ＥＡＲＦＣＮ））及び／又は無線通信ネットワーク内でセルにより利用される周波数バンド（例えば、バンド・クラス）を含むことができる。さらに、セル情報２１９は、例えばセルのカバレージ、セルの送信電力、セルがフェムトセル、ピコセル又はマクロセルであるかどうか、及び／又は、セルがオープン又はクローズのアソシエーションを有するかどうかのような（ただし、これらに制限されない）、１又は複数のセルのセル特性を含むことができる。他の態様に従って、無線通信ネットワークのオペレーターは、無線通信ネットワーク上のフェムトセルが、予約されたスペース内で、周波数、オフセット及び／又はコードを利用するように、フェムトセルのために、特定の周波数、周波数バンド、ＰＮオフセット及び／又は同期コードを予約することができる。予約された周波数、ＰＮオフセット及び／又はコードを有するパイロット信号が検出されるときはいつでも、フェムトセルが識別されることができるように、セル情報２１９は、特定のネットワークの予約された特性（reserved properties）を指定することができる。
【００３６】
セルの検知、選択及び／又はセル特性の発見を容易にするために、ＵＥ２１０は、セル情報２１９を考慮して受信信号（例えば、パイロット信号）を解析するために、セル評価モジュール２１６を使用することができる。一つの例に従って、セル評価モジュール２１６は、例えばパイロット信号の周波数、パイロット信号のＰＮオフセット、パイロット信号に関連する同期／スクランブル・コード又はその種の他のもののような（ただし、これらに制限されない）、受信パイロット信号の特性を識別することができる。セル評価モジュール２１６は、セル情報２１９中に含まれるセル特性に対する配備情報のマッピングにより提供されるセルのセル特性を判定するために、セル情報２１９を問い合わせるために、受信パイロット信号の識別された特性（例えば、識別された配備情報）を利用することができる。
【００３７】
システム２００中に更に示されるように、ＵＥ２１０は、プロセッサ２１７及び／又はメモリ２１８を含むことができる。そして、それらは、受信モジュール２１２、記憶モジュール２１４、セル評価モジュール２１６及び／又はＵＥ２１０の任意の他の（１又は複数の）コンポーネントの機能性の一部又は全部を実装するために、利用されることができる。さらに、メモリ２１８は、ＵＥ２１０に提供される情報に対応することができるセル情報２１９を保持するために使用されることができる。同様に、図２は、基地局２２０が基地局２２０の機能性の一部又は全部を実装するためにプロセッサ２２４及び／又はメモリ２２６を含むことができることを示す。
【００３８】
図３を参照して、１又は複数の態様に従って無線通信ネットワークにおいてセル特性の検知及び／又は発見を容易にするシステム３００が示される。システム３００は、図２に関して上で説明されたＵＥ２１０と同様であることができ且つＵＥ２１０と同様の機能性を実行することができるＵＥ２１０を含むことができる。さらに、システム３００は、前に説明された基地局１０２又は基地局２２０と実質的に同様であることができる基地局３２０及び３３０のような基地局を含むことができる。さらに、システム３００におけるそれぞれの基地局は、例えばマクロセル、フェムトセルに関連するエリア（例えば、アクセスポイント基地局又はホームＮｏｄｅ Ｂ（ＨＮＢ））及び／又は任意の他の適切なタイプのカバレージエリアのような、任意の適切なカバレージエリアにサービスすることができることは、認識されるべきである。
【００３９】
一つの例に従って、基地局３２０及び３３０は、モバイル・デバイスが無線通信ネットワークを検出して、それと同期するのを可能にするために、パイロット信号を送信することができる。パイロット信号はまた、セルの識別及びセルのセル特性の発見を容易にするために利用されることができる。ＵＥ２１０は、受信パイロット信号に基づいてセルを識別するために、無線通信ネットワーク中のセルの記憶されたセル情報２１９を利用することができる、セル評価モジュール２１６を含むことができる。
【００４０】
一つの態様において、セル情報２１９は、少なくとも３つの情報セットの間のマッピング又はアソシエーションを提供することができる。例えば、セルの配備情報（例えば、周波数、ＰＮオフセット、同期コード、スクランブリング・コード、及び／又は、ある領域においてセルに割り当てられたバンド・クラス（例えば、フェムト及び／又はマクロ））は、識別情報マクロセル及び／又はエリア（例えば、ネットワーク／エリア情報）に基づいて、分類（categorized）（例えば、マッピング）されることができる。一つの例において、システム識別番号（ＳＩＤ）及び／又はネットワーク識別番号（ＮＩＤ）は、ＳＩＤ及び／又はＮＩＤに関連する基地局によりカバーされるエリア内に配備されるセルのパイロット特性を判定するために、配備情報をフィルタリングするのに利用されることができる。ＳＩＤ／ＮＩＤに加えて他の識別メカニズムが利用されることができることは認識されるべきである。例えば、ＬＴＥベースのネットワークの物理レイヤ・セル識別情報及び／又はセル識別情報グループは、配備情報を分類するために利用されることができる。他の例に従って、基地局３３０は、マクロセル基地局３２０のカバレージエリア内のフェムトセルであることができる。フェムトセル基地局３３０に対応する配備情報は、マクロセル基地局３２０の識別情報（例えば、セル識別情報、ＳＩＤ／ＮＩＤなど）にマッピングされることができる。他の態様において、配備情報及び／又はネットワーク／エリア情報は、個々のセルのセル特性にマッピングされることができる。したがって、ネットワーク又はエリアは、識別されたネットワーク又はエリアに関連する配備情報及び／又はセル特性のみを含むために、セル情報２１９をフィルタリングするのに識別及び利用されることができる。セルの特定の配備情報は、パイロット信号又はセルからの他の適切な信号の解析を通して収集されることができる。特定の配備情報は、セル情報２１９から特定のセルのセル特性を得るために利用されることができる。
【００４１】
セル評価モジュール２１６は、受信信号に基づいて、セルの識別情報を判定するネットワーク識別モジュール３０２を含むことができる。セルは、１又は複数のフェムトセル配備を含むことができるマクロセルであることができる。例えば、ネットワーク識別モジュール３０２は、基地局３２０及び３３０により送信され且つＵＥ２１０により受信されるそれぞれの信号に基づいて、基地局３２０及び／又は３３０の識別情報を判定することができる。ネットワーク識別モジュール３０２は、基地局３２０及び／又は３３０に関連するＳＩＤ及びＮＩＤを判定するために、同期メッセージを解析することができる。他の例では、ネットワーク識別モジュール３０２は、基地局３２０又は３３０に関連するセル識別情報及び／又はセル識別情報グループを判定するために、一次同期コード（ＰＳＣ）及び二次同期コード（ＳＳＣ）を解析することができる。
【００４２】
他の態様に従って、セル評価モジュール２１６は、例えばパイロット特性（例えば、ＰＮオフセット、スクランブリング・コードなど）、周波数バンド、チャネル番号又はその種の他のもののような配備情報を識別するために、基地局（例えば、基地局３２０及び／又は３３０）からの信号を評価する、パイロット情報モジュール３０４を含むことができる。セル評価モジュール２１６は、基地局に関連するセル特性を判定するために、セル情報２１９を問い合わせるために、識別された配備情報、ネットワーク識別情報及び／又はセル識別情報を利用する検索モジュール（lookup module）３０６を更に含むことができる。一つの例において、検索モジュール３０６は、ネットワーク識別モジュール３０２により判定されたマクロセル基地局に関連するネットワーク識別情報又はセル識別情報に基づいて、セル情報２１９をフィルタリングすることができる。検索モジュール３０６は、基地局のセル特性を判定するために、パイロット情報モジュール３０４により判定された配備情報に基づいて、セル情報２１９を更にフィルタリングすることができる。一つの例において、ＵＥ２１０は、基地局がフェムトセルであるかどうか判定するために、セル特性を使用することができる。そのような場合、ＵＥ２１０は、フェムトセルからのサービスを捕捉することができ、及び／又は、強いパイロットの受信にもかかわらず、フェムトセルを無視することができる。他の状況では、ＵＥ２１０は、発見された基地局のセル特性を解析して、ハンドオフが開始されるべきかについて判定することができる。
【００４３】
他の例では、ネットワーク識別モジュール３０２及び検索モジュール３０６は、フェムトセル探索が開始されるべきかどうか判定するために使用されることができる。一つの例において、ネットワーク識別モジュール３０２は、マクロセル基地局（例えば、基地局３２０）に関連するネットワーク識別情報又はセル識別情報を判定することができる。ネットワーク又はセル識別情報は、フェムトセル配備がマクロセル基地局（基地局３２０）により提供されるカバレージエリア内に位置するかどうか判定するために配備情報２１９を問い合わせるために、検索モジュール３０６により利用されることができる。例えば、基地局３３０は、マクロセル基地局３２０のカバレージエリア内のフェムトセルであることができる。ＵＥ２１０は、フェムトセル基地局３３０に対応する配備情報（例えば、周波数バンド、ＰＮオフセット、同期コードなど）を識別することができ、また、基地局３３０を検出し、捕捉し、それに登録するために、配備情報を利用することができる。さらに他の例では、ハンドオフが開始されるべきかどうか発見するために、フェムトセル探索に類似するプロセスが利用されることができる。例えば、ネットワーク識別情報又はエリア情報は、特定のネットワーク及び／又はエリアのためにセル情報２１９中に指定された配備情報及び／又はセル特性を得るために利用されることができる。セル特性は、ＵＥ２１０がハンドオフすることができる、改善されたサービスを提供できる基地局を発見するために、評価されることができる。
【００４４】
一つの態様において、ＵＥ２１０は、セル情報２１９を補うために、インテリジェンス・モジュール３０８を使用することができる。セル探索（cell search）手続き又はセル捕捉（cell acquisition）手続きの間、ＵＥ２１０は、セル（例えば、マクロセル、フェムトセルなど）に関連するパイロットを検出することができる。例えば、ＵＥ２１０は、基地局３３０を検出することができる。インテリジェンス・モジュール３０８は、基地局３３０に関連するセル特性及び／又は配備情報を、そのような情報が存在しない場合に、セル情報２１９に加えることができる。さらに、インテリジェンス・モジュール３０８は、基地局３３０に関連するネットワークのネットワーク識別情報及び／又は基地局３３０に関連するエリア情報及び基地局３３０の配備情報／セル特性の間のマッピングを生成することができる。
【００４５】
さて、図４を参照して、様々な態様に従って位置情報に基づいてセル特性の識別を容易にするシステム４００が示される。システム４００は、無線通信ネットワーク内の１又は複数に関係するセル情報２１９を保持するＵＥ２１０を含む。一つの態様において、セル情報２１９は、位置（例えば、地理的な位置）情報に基づいて、分類されることができる。例えば、セル情報２１９に含まれる配備情報のサブセット及び／又はセル特性情報のサブセットは、特定の位置又はエリアにマッピングされることができる。
【００４６】
一つの例において、セル情報２１９は、フェムトセルの位置（例えば、地理的な位置）に基づいて、分類されることができる。例えば、無線通信ネットワークのオペレーターは、地理的な位置に基づいて、異なる方法で、周波数バンド、ＰＮオフセット、スクランブリング・コード及び同期コードを、フェムトセル配備に割り当てることができる。例えば、米国の西半分でフェムトセルに割り当てられるものとは異なるセットＰＮオフセット又は周波数バンドが、米国の東半分でフェムトセルに割り当てられることができる。そのような割り当ては例示的であり、また、様々な粒度の、異なる地理的線引き（geographical delineations）が使用されることができることは、認識されるべきである。例えば、フェムトセル配備情報は、州レベル、市レベル、郡レベルなどで分類されることができる。フェムトセル配備はセル情報２１９に含まれる情報の例であり、また、追加のセル配備（例えば、マクロセル）が更に含まれることができることは、認識されるべきである。
【００４７】
ＵＥ２１０は、ＵＥ２１０に関連する位置情報を判定するロケーション・モジュール４０２を含むことができる。ロケーション・モジュール４０２は、位置情報を判定するために、グローバル・ポジショニング・システム（ＧＰＳ）、三角測量又は他の適切なロケーティング・メカニズムを利用することができる。位置情報は、セルに関連するセル特性及び／又は配備情報を発見するためにセル情報２１９を問い合わせるために利用するＵＥ２１０の位置を識別することができる。例えば、位置情報は、そのようなセル配備の特性（例えば、パイロット特性、セル特性など）に加えてＵＥ２１０の近くに位置するセル配備を判定するために、セル評価モジュール２１６により利用されることができる。
【００４８】
図５〜７を参照して、セル選択及び／又はハンドオーバを容易にするためにモバイル・デバイスへ提供されるセル情報（例えば、ネットワーク／エリア情報、配備情報及び／又はセル特性）を利用することに関する手順が示される。説明を簡単にする目的で、手順が一連の動作として図示され説明されるが、１又は複数の実施態様に従って、手順は、動作の順序により制限されるものではなく、幾つかの動作が、本明細書で図示され説明される順序とは異なる順序で及び／又は他の動作と同時に、発生しても良いことは、理解及び認識されるべきである。例えば、手順が、代わりに、例えば状態図（state diagram）のように、一連の相互に関連のある状態又はイベントとして、表現できるであろうことは、当業者は理解（understand）及び認識（appreciate）するであろう。さらに、１又は複数の実施形態に従う手順を実装するために、必ずしも説明されたすべての動作が要求されなくても良い。
【００４９】
図５を参照して、様々な態様に従って、モバイル・デバイスへ提供されるセル情報に基づいて、検出されたセルのセル特性を発見する方法５００が示される。参照番号５０２において、セル情報が、提供技術により得られる。例えば、無線による提供技術（例えば、ＯＴＡＳＰ、ＩＯＴＡ、ＯＭＡ ＤＭ及び／又はＳＭＳ）は、セル情報を得るために使用されることができる。他の提供技術が利用されることができることは、認識されるべきである。例えば、セル情報のダウンロードを可能にするために、モバイル・デバイスとアプリケーション・サーバとの間で、ＩＰ接続が確立されることができる。他の例において、セル情報は、コンピュータ読み取り可能な記憶媒体上で提供されることができる。参照番号５０４において、セル情報は、モバイル・デバイスに関連するコンピュータ読み取り可能な記憶媒体に記憶される。参照番号５０６において、セル情報は、検出されたセルに関連するセル特性の発見を容易にするために利用される。
【００５０】
図６を参照して、様々な態様に従って、セル情報に基づいて、セルの特性を識別する方法６００が示される。参照番号６０２において、ネットワークの識別情報が判定される。ネットワークは、モバイル・デバイスにサービスしている基地局を含む無線通信ネットワークであることができる。ネットワーク識別情報は、モバイル・デバイスにサービスしている基地局により送信される同期メッセージから得られるシステム識別（ＳＩＤ）番号及び／又はネットワーク識別（ＮＩＤ）番号であることができる。他の例では、識別情報は、一次同期信号及び二次同期信号を介して判定されるセル識別情報及び／又はセル識別情報グループであることができる。参照番号６０４において、識別情報は、モバイル・デバイスへ提供され記憶されたセル情報を問い合わせるために利用される。セル情報は、ネットワーク／エリア情報、配備情報、セル特性情報を含むことができ、また、それらの間のマッピングを提供することができる。
【００５１】
参照番号６０６において、ネットワーク識別情報に関連する配備情報及び／又はセル特性情報が得られる。配備情報及び／又はセル特性情報は、提供されたセル情報での問い合わせの結果として得られることができる。一つの例において、ネットワークをもつ特定のセルに対応する配備情報が、該ネットワークの識別情報に関連するように、提供されたセル情報は、ネットワーク識別情報に基づいて分類されることができる。参照番号６０８において、受信したパイロット信号は、セルの特性を識別するために、解析されて、配備情報及び／又はセル特性情報と関連付けられることができる。
【００５２】
図７は、様々な態様に従って、セル情報に基づいて、セルを選択するための及び／又はセルに対するハンドオフ動作を開始するための方法７００を示す。参照番号７０２において、モバイル・デバイスに関連する位置情報が、確認される。位置情報は、ＧＰＳメカニズム、３つ以上の基地局の間の三角測量、基地局識別情報又はその種の他のものを介して得られることができる。参照番号７０４において、位置情報は、提供メカニズムを介してモバイル・デバイスに配備されるセル情報を問い合わせるために使用されることができる。一つの態様において、特定の位置を包囲している領域内のセルに関連する配備情報及び／又はセル特性を判定するために、位置が使用されることができるように、セル情報は、位置（例えば、地理的領域又はエリア）に基づいて分類されることができる。参照番号７０６において、位置情報により判定されたモバイル・デバイスの近くのセルが、識別されることができる。
【００５３】
本明細書で説明される１又は複数の態様に従って、パイロット信号の検出、セル情報の問い合わせ、セルのフェムトセル又はマクロセルのうちの一つとしての識別などに関して、推論がなされることができることは、認識されるであろう。本明細書で用いられるように、用語“推論する（infer）”又は“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的であっても良い、すなわち、データ及びイベントの考慮に基づく、対象の状態上の確率分布の計算であっても良い。また、推論は、一連のイベント及び／又はデータから、よりハイレベルなイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【００５４】
図８に関して、一つの態様に従って、セル特性発見を可能にするシステム８００が示される。例えば、システム８００は、ユーザ装置ユニット内に少なくとも部分的に存在することができる。システム８００は、プロセッサ、ソフトウェア又はそれらの組み合せ（例えば、ファームウェア）により実装される機能を表す機能ブロックであることができる機能ブロックを含むものとして表されることは、認識されるべきである。システム８００は、一緒に動作することができる電気コンポーネントの論理グループ８０２を含む。例えば、論理グループ８０２は、セル情報を得るための電気コンポーネント８０４を含むことができる。さらに、論理グループ８０２は、セル情報をメモリに記憶するための電気コンポーネント８０６を含むことができる。さらに、論理グループ８０２は、１又は複数の検出されたセルのセル特性を識別するためにセル情報を使用するための電気コンポーネント８０８を含むことができる。論理グループ８０２はまた、信号特性（signal properties）及びネットワーク識別情報に基づいてセル情報を問い合わせるための電気コンポーネント８１０を含むことができる。さらに、システム８００は、電気コンポーネント８０４，８０６，８０８及び８１０に関連する機能を実行するためのインストラクションを保持するメモリ８１２を含むことができる。メモリ８１２の外部に存在するものとして示されるが、電気コンポーネント８０４，８０６，８０８及び８１０のうちの１又は複数は、メモリ８１２内に存在することができることは理解されるべきである。
【００５５】
図９は、本明細書で説明される機能性の様々な態様を実装するために利用されることができる他のシステム９００のブロック図である。一つの例において、システム９００は、モバイル・デバイス９０２を含む。示されるように、モバイル・デバイス９０２は、１又は複数の基地局９０４からの（１又は複数の）信号を受信することができ、また、１又は複数のアンテナ９０８を介して１又は複数の基地局９０４へ送信することができる。さらに、モバイル・デバイス９０２は、（１又は複数の）アンテナ９０８から情報を受信する受信機９１０を含むことができる。一つの例において、受信機９１０は、受信された情報を復調する復調器（Ｄｅｍｏｄ）９１２と有効に（operatively）関連することができる。復調されたシンボルは、それから、プロセッサ９１４により解析されることができる。プロセッサ９１４は、メモリ９１６に接続されることができる。メモリ９１６は、モバイル・デバイス９０２に関係するデータ及び／又はプログラム・コードを記憶することができる。モバイル・デバイス９０２はまた、（１又は複数の）アンテナ９０８を通した送信機９２０による送信のために信号を多重化することができる変調器９１８を含むことができる。
【００５６】
図１０は、本明細書で説明される機能性の様々な態様を実装するために利用されることができるシステム１０００のブロック図である。一つの例において、システム１０００は、基地局又は基地局１００２を含む。示されるように、基地局１００２は、１又は複数の受信（Ｒｘ）アンテナ１００６を介して１又は複数のＵＥ１００４から（１又は複数の）信号を受信することができ、また、１又は複数の送信（Ｔｘ）アンテナ１００８を介して１又は複数のＵＥ１００４へ送信することができる。さらに、基地局１００２は、（１又は複数の）受信アンテナ１００６から情報を受信する受信機１０１０を含むことができる。一つの例において、受信機１０１０は、受信された情報を復調する復調器（Ｄｅｍｏｄ）１０１２と有効に関連することができる。復調されたシンボルは、それから、プロセッサ１０１４により解析されることができる。プロセッサ１０１４は、メモリ１０１６に接続されることができる。メモリ１０１６は、コード・クラスターに関係する情報、アクセス端末割り当て、それに関係する検索テーブル、スクランブリング・シーケンス及び／又は他の適切なタイプの情報を記憶することができる。一つの例において、基地局１００２は、方法７００及び／又は他の類似する若しくは適切な手順を実行するために、プロセッサ１０１４を使用することができる。基地局１００２は、（１又は複数の）送信アンテナ１００８を介した送信機１０２０による送信のための信号を多重化することができる変調器１０１８を含むことができるまた。
【００５７】
幾つかの態様において、本明細書の教示は、大規模の（macro scale）カバレージ（例えば、広域エリア・セルラー・ネットワーク（例えば３Ｇネットワーク）、一般的にマクロセル・ネットワークと呼ばれる）及びより小規模の（smaller scale）カバレージ（例えば、住居ベース（residence-based）又は建築ビルディングベース（building-based）のネットワーク環境）を含むネットワークにおいて使用されても良い。アクセス端末（“ＡＴ”）がそのようなネットワーク中を動くときに、アクセス端末は、マクロ・カバレージを提供するアクセス・ノード（“ＡＮ”）により特定の位置でサービスされても良く、一方、アクセス端末は、より小規模のカバレージを提供するアクセス・ノードにより他の位置でサービスされても良い。幾つかの態様において、より小さなカバレージのノードは、増加する能力の成長（incremental capacity growt）、室内の（in-building）カバレージ及び異なるサービス（例えば、より頑強なユーザ・エクスペリエンスのために）を提供するために使用されても良い。本明細書の説明において、相対的に大きなエリアにわたるカバレージを提供するノードは、マクロ・ノードと呼ばれることがある。比較的小さなエリア（例えば、住居）にわたるカバレージを提供するノードは、フェムト・ノードと呼ばれることがある。マクロ・エリアより小さく且つフェムト・エリアより大きいエリアにわたるカバレージを提供するノードは、ピコ・ノード（例えば、商業ビルの中でカバレージを提供する）と呼ばれることがある。
【００５８】
マクロ・ノード、フェムト・ノード又はピコ・ノードに関連するセルは、それぞれ、マクロセル、フェムトセル又はピコセルと呼ばれることがある。幾つかの実装では、各々のセルは、１又は複数のセクターに更に関連付けられても良い（例えば１又は複数のセクターに更に分割されても良い）。
【００５９】
様々なアプリケーションにおいて、マクロ・ノード、フェムト・ノード又はピコ・ノードを参照するのに他の用語が使用されても良い。例えば、マクロ・ノードは、アクセス・ノード、基地局、アクセスポイント、ｅＮｏｄｅＢ、マクロセルなどとして構成され又は呼ばれても良い。また、フェムト・ノードは、ホームＮｏｄｅＢ、ホームｅＮｏｄｅＢ、アクセスポイント基地局、フェムトセルなどとして構成され又は呼ばれても良い。
【００６０】
図１１は、本明細書の教示が実装され得る幾つかのユーザをサポートするように構成される無線通信システム１１００を示す。システム１１００は、複数のセル１１０２（例えば、マクロセル１１０２Ａ〜１１０２Ｇ）に関する通信を提供する。各々のセルは、対応するアクセス・ノード１１０４（例えば、アクセス・ノード１１０４Ａ〜１１０４Ｇ）によりサービスされる。図１１に示されるように、アクセス端末１１０６（例えば、アクセス端末１１０６Ａ〜１１０６Ｌ）は、時間とともにシステム全体にわたって様々な位置に分散し得る。例えば、各々のアクセス端末１１０６は、該アクセス端末１１０６がアクティブかどうか及びそれがソフトハンドオフにあるかどうかに応じて、所定の瞬間（moment）において、順方向リンク（“ＦＬ”）及び／又は逆方向リンク（“ＲＬ”）上で１又は複数のアクセス・ノード１１０４と通信しても良い。無線通信システム１１００は、広い地理的領域上でサービスを提供しても良い。例えば、マクロセル１１０２Ａ〜１１０２Ｇは、近隣において数ブロックにわたっても良い。
【００６１】
図１２は、１又は複数のフェムト・ノードがネットワーク環境内に配備される例示的な通信システム１２００を示す。具体的には、システム１２００は、比較的小規模のネットワーク環境（例えば、１又は複数のユーザ住居１２３０）において設置される複数のフェムト・ノード１２１０（例えば、フェムト・ノード１２１０Ａ及び１２１０Ｂ）を含む。各々のフェムト・ノード１２１０は、ＤＳＬルータ、ケーブルモデム、無線リンク又は他の接続性手段（図示せず）を介してワイドエリアネットワーク１２４０（例えば、インターネット）及びモバイルオペレータのコアネットワーク１２５０に接続しても良い。以下で説明されるように、各々のフェムト・ノード１２１０は、関連するアクセス端末１２２０（例えば、アクセス端末１２２０Ａ）及びオプションとして外部アクセス端末（alien access terminals）１２２０（例えば、アクセス端末１２２０Ｂ）にサービスするように構成されても良い。言い換えると、フェムト・ノード１２１０へのアクセスが制限されても良く、それによって、所定のアクセス端末１２２０は、指定された（例えば、家庭の（home））（１又は複数の）フェムト・ノード１２１０のセットによりサービスされても良いが、指定されないフェムト・ノード１２１０（例えば、隣接するフェムト・ノード１２１０）によりサービスされなくても良い。
【００６２】
図１３は、幾つかのトラッキング・エリア１３０２（又はルーティング・エリア又はロケーション・エリア）が定義されるカバレージ・マップ１３００の例を示す。それらの各々は、幾つかのマクロ・カバレージエリア１３０４を含む。ここでは、トラッキング・エリア１３０２Ａ,１３０２Ｂ及び１３０２Ｃに関連するカバレージのエリアは、太線で描かれ、マクロ・カバレージエリア１３０４は、六角形により表される。トラッキング・エリア１３０２はまた、フェムト・カバレージエリア１３０６を含む。この例において、フェムト・カバレージエリア１３０６の各々（例えば、フェムト・カバレージエリア１３０６Ｃ）は、マクロ・カバレージエリア１３０４（例えば、マクロ・カバレージエリア１３０４Ｂ）の内部に表される。しかし、フェムト・カバレージエリア１３０６が完全にマクロ・カバレージエリア１３０４の内部には位置しないことがあることは認識されるべきである。実際には、多数のフェムト・カバレージエリア１３０６が、所定のトラッキング・エリア１３０２又はマクロ・カバレージエリア１３０４をもって定義されても良い。また、１又は複数のピコ・カバレージエリア（図示せず）が、所定のトラッキング・エリア１３０２又はマクロ・カバレージエリア１３０４の内部に定義されても良い。
【００６３】
再度、図１２を参照して、フェムト・ノード１２１０の所有者は、例えば、モバイルオペレータのコアネットワーク１２５０を通して提供されるモバイル・サービス（例えば、３Ｇモバイル・サービス）に加入（subscribe）しても良い。さらに、アクセス端末１２２０は、マクロ環境とより小規模の（例えば、居住の）ネットワーク環境の両方においてオペレートすることができても良い。言い換えると、アクセス端末１２２０の現在位置に応じて、アクセス端末１２２０は、マクロセル・モバイル・ネットワーク１２５０のアクセス・ノード１２６０によって、又は、フェムト・ノード１２１０のセットのうちの任意の一つ（例えば、対応するユーザ住居１２３０内に存在するフェムト・ノード１２１０Ａ及び１２１０Ｂ）によって、サービスされても良い。例えば、加入者が彼の家庭の外にいるときは、彼は標準的なマクロ・アクセス・ノード（例えば、ノード１２６０）によりサービスされ、加入者が家庭にいるときは、フェムト・ノード（例えば、ノード１２１０Ａ）によりサービスされても良い。ここで、フェムト・ノード１２１０は、既存のアクセス端末１２２０との下位互換性（backward compatible）を有しても良いことは、認識されるべきである。
【００６４】
フェムト・ノード１２１０は、単一の周波数の上に又は代わりに複数の周波数の上に配備されても良い。特定の構成に応じて、単一の周波数、又は、複数の周波数のうちの１又は複数が、マクロ・ノード（例えば、ノード１２６０）により使用される１又は複数の周波数とオーバーラップしても良い。
【００６５】
幾つかの態様において、アクセス端末１２２０は、そのような接続性が可能なときはいつでも、優先（preferred）フェムト・ノード（例えば、アクセス端末１２２０のホーム・フェムト・ノード）に接続されるように構成されても良い。例えば、アクセス端末１２２０がユーザの住居１２３０の中にあるときはいつでも、アクセス端末１２２０がホーム・フェムト・ノード１２１０とのみ通信することを要求されても良い。
【００６６】
幾つかの態様において、アクセス端末１２２０がマクロセルラー・ネットワーク１２５０内でオペレートするが、マクロセルラー・ネットワーク１２５０がその最優先（most preferred）ネットワーク（例えば、優先ローミングリストで定義されたような）に存在しないならば、アクセス端末１２２０は、より良いシステム再選択（Better System Reselection）（“ＢＳＲ”）を使用して、最優先ネットワーク（例えば、優先フェムト・ノード１２１０）を探索し続ける可能性がある。そして、それは、より良いシステムが現在利用できるかどうか判定するための利用可能なシステムの周期的なスキャン及びそのような優先システムに関連するその後の労力（efforts）を必要とする可能性がある。捕捉エントリーを使って、アクセス端末１２２０は、探索を、特定のバンド及びチャネルに制限しても良い。例えば、最優先システムのための探索は、周期的に繰り返されても良い。優先フェムト・ノード１２１０の発見に応じて、アクセス端末１２２０は、そのカバレージエリア内にあるフェムト・ノード１２１０を選択しても良い。
【００６７】
フェムト・ノードは、幾つかの態様で制限されても良い。例えば、所定のフェムト・ノードは、特定のアクセス端末に特定のサービスを提供するだけであっても良い。いわゆる制限された（又はクローズの）アソシエーションによる配備において、所定のアクセス端末は、マクロセル・モバイル・ネットワーク及び定義されたフェムト・ノードのセット（例えば、対応するユーザ住居１２３０内に存在するフェムト・ノード１２１０）によりサービスされるだけであっても良い。幾つかの実装では、ノードは、少なくとも一つのノードに、シグナリング、データ・アクセス、登録、ページング又はサービスのうちの少なくとも一つを提供しないように、制限されても良い。
【００６８】
幾つかの態様において、制限されたフェムト・ノード（それは、クローズの加入者グループ・ホームＮｏｄｅＢ（Closed Subscriber Group Home NodeB）と呼ばれることもある）は、制限された提供されたアクセス端末のセットにサービスを提供するものである。このセットは、一時的であっても良いし、あるいは、必要に応じて恒久的に拡張されても良い。幾つかの態様において、クローズの加入者グループ（Closed Subscriber Group）（ “ＣＳＧ”）は、アクセス端末の共通アクセス制御リストを共有するアクセス・ノード（例えば、フェムト・ノード）のセットとして定義されても良い。ある領域中ですべてのフェムト・ノード（又は、すべての制限されたフェムト・ノード）がオペレートするチャネルは、フェムト・チャネルと呼ばれることがある。
【００６９】
様々な関係が、それゆえ、所定のフェムト・ノードと所定のアクセス端末との間に存在しても良い。例えば、アクセス端末の観点から、オープンのフェムト・ノードは、アソシエーションに制限のないフェムト・ノードを指し示しても良い。制限されたフェムト・ノードは、何らかの方法で制限される（例えば、アソシエーション及び／又は登録について制限される）フェムト・ノードを指し示しても良い。ホーム・フェムト・ノードは、アクセス端末がその上でのアクセス及びオペレートを許可されたフェムト・ノードを指し示しても良い。ゲスト・フェムト・ノードは、アクセス端末がその上でのアクセス及びオペレートを一時的に許可されたフェムト・ノードを指し示しても良い。外部フェムト・ノード（alien femto node）は、アクセス端末が、おそらく緊急事態（例えば、９１１コール）を除けば、その上でのアクセス及びオペレートを許可されないフェムト・ノードを指し示しても良い。
【００７０】
制限されたフェムト・ノードの観点から、ホーム・アクセス端末は、制限されたフェムト・ノードに対するアクセスを許可されたアクセス端末を指し示しても良い。ゲスト・アクセス端末は、制限されたフェムト・ノードに対して一時的にアクセスするアクセス端末を指し示しても良い。外部アクセス端末は、おそらく緊急事態（例えば、９１１コール）を除けば、制限されたフェムト・ノードに対するアクセスの許可を有しないアクセス端末（例えば、制限されたフェムト・ノードに登録するための信用証明書（credentials）又は許可を有しないアクセス端末）を指し示しても良い。
【００７１】
便宜上、本明細書の開示は、フェムト・ノードとの関連で様々な機能性を説明する。しかし、ピコ・ノードは、より大きなカバレージエリアについて同一の又は類似する機能性を提供しても良いことは、認識されるべきである。例えば、ピコ・ノードは、制限されても良く、また、ホーム・ピコ・ノードは、所定のアクセス端末について定義されても良いなどである。
【００７２】
無線マルチアクセス通信システムは、複数の無線アクセス端末のための通信を同時にサポートしても良い。上記のように、各々の端末は、順方向及び逆方向リンクの上での伝送を介して１又は複数の基地局と通信しても良い。順方向リンク（又はダウンリンク）は、基地局から端末への通信リンクを指し示し、逆方向リンク（又はアップリンク）は、端末から基地局への通信リンクを指し示す。この通信リンクは、単一入力単一出力システム、多重入力多重出力（“ＭＩＭＯ”）システム又は何らかの他のタイプのシステムにより確立されても良い。
【００７３】
ＭＩＭＯシステムは、データ伝送のために複数の（ＮＴ個の）送信アンテナ及び複数の（ＮＲ個の）受信アンテナを使用する。ＮＴ個の送信アンテナ及びＮＲ個の受信アンテナにより形成されるＭＩＭＯチャネルは、ＮＳ個の独立したチャネルに分解され得る。それは空間チャネルとも呼ばれる。ここで、ＮＳ ≦ min ｛ＮＴ，ＮＲ｝である。ＮＳ個の独立したチャネルの各々は、次元に対応する。複数の送信及び受信アンテナにより作成される更なる次元が利用されるならば、ＭＩＭＯシステムは、向上したパフォーマンス（例えば、より高いスループット及び／又はより大きな信頼性）を提供し得る。
【００７４】
ＭＩＭＯシステムは、時分割双方向（“ＴＤＤ”）及び周波数分割双方向（“ＦＤＤ”）をサポートしても良い。ＴＤＤシステムにおいて、相互関係原則が逆方向リンク・チャネルからの順方向リンク・チャネルの推定を可能にするように、順方向リンク伝送及び逆方向リンク伝送は、同一の周波数領域上にある。これは、アクセスポイントで複数のアンテナが利用できるときに、アクセスポイントが、順方向リンク上の送信ビームフォーミング利得を抽出するのを可能にする。
【００７５】
本明細書の教示は、少なくとも一つの他のノードと通信するために様々なコンポーネントを使用するノード（例えば、デバイス）に組み込まれても良い。図１４は、ノード間での通信を容易にするために使用されてもよい幾つかの例示的なコンポーネントを表す。具体的には、図１４は、無線デバイス１４１０（例えば、アクセスポイント）及びＭＩＭＯシステム１４００の無線デバイス１４５０（例えば、アクセス端末）を示す。デバイス１４１０において、幾つかのデータストリームのためのトラフィック・データは、データソース１４１２から送信（“ＴＸ”）データプロセッサ１４１４へ提供される。
【００７６】
幾つかの態様において、各々のデータストリームは、それぞれの送信アンテナ上で送信される。ＴＸデータプロセッサ１４１４は、符号化されたデータを提供するために、そのデータストリームのために選択される特定の符号化スキームに基づいて、各々のデータストリームのためのトラフィック・データを、フォーマットし、符号化し、そして、インターリーブする。
【００７７】
各々のデータストリームのための符号化されたデータは、ＯＦＤＭ技術を使用してパイロット・データと多重化されても良い。パイロット・データは、一般的に、既知の方法で処理される既知のデータ・パターンであっても良く、また、チャネル・レスポンスを推定するために受信機システムで使用されても良い。各々のデータストリームのための多重化されたパイロット及び符号化データは、それから、変調シンボルを提供するために、そのデータストリームのために選択される特定の変調スキーム（例えば、ＢＰＳＫ、ＱＳＰＫ、Ｍ−ＰＳＫ又はＭ−ＱＡＭ）に基づいて、変調される（すなわち、シンボルマッピングされる）。各々のデータストリームのためのデータレート、符号化及び変調は、プロセッサ１４３０により実行されるインストラクションにより判定されても良い。データメモリ１４３２は、デバイス１４１０のプロセッサ１４３０又は他のコンポーネントにより使用されるプログラム・コード、データ及び他の情報を記憶しても良い。
【００７８】
すべてのデータストリームのための変調シンボルは、それから、ＴＸ ＭＩＭＯプロセッサ１４２０に提供される。ＴＸ ＭＩＭＯプロセッサ１４２０は、変調シンボル（例えば、ＯＦＤＭのために）を更に処理しても良い。ＴＸ ＭＩＭＯプロセッサ１４２０は、それから、ＮＴ個の変調シンボル・ストリームをＮＴ個の送受信機（“ＸＣＶＲ”）１４２２Ａ〜１４２２Ｔに提供する。幾つかの態様において、ＴＸ ＭＩＭＯプロセッサ１４２０は、ビームフォーミング重みを、データストリームのシンボル及び該シンボルが送信されているアンテナに、適用する。
【００７９】
各々のトランシーバ１４２２は、１又は複数のアナログ信号を提供するために、それぞれのシンボル・ストリームを受信及び処理し、ＭＩＭＯチャネル上での伝送に適した変調信号を提供するために、アナログ信号を更に調整（例えば、増幅、フィルタリング及びアップコンバート）する。それから、送受信機１４２２Ａ〜１４２２ＴからのＮＴ個の変調信号は、それぞれ、ＮＴ個のアンテナ１４２４Ａ〜１４２４Ｔから送信される。
【００８０】
デバイス１４５０において、送信された変調信号は、ＮＲ個のアンテナ１４５２Ａ〜１４５２Ｒで受信され、各々のアンテナ１４５２からの受信信号は、それぞれのトランシーバ（“ＸＣＶＲ”）１４５４Ａ〜１４５４Ｒに提供される。各々のトランシーバ１４５４は、それぞれの受信信号を調整（例えば、フィルタリング、増幅及びダウンコンバート）し、サンプルを提供するために、該調整された信号をデジタイズし、そして、“受信（received）” シンボル・ストリームを提供するために、該サンプルを更に処理する。
【００８１】
受信（“ＲＸ”）データプロセッサ１４６０は、それから、ＮＴ個の“検出（detected）”シンボル・ストリームを提供するために、特定の受信機処理技術に基づいて、ＮＲ個の送受信機１４５４からのＮＲ個の受信シンボル・ストリームを受信及び処理する。ＲＸデータプロセッサ１４６０は、それから、データストリームのためのトラフィック・データをリカバーするために、各々の検出シンボル・ストリームを復調し、デインターリーブし、そして、復号化する。ＲＸデータプロセッサ１４６０により処理は、デバイス１４１０におけるＴＸ ＭＩＭＯプロセッサ１４２０及びＴＸデータプロセッサ１４１４により実行される処理と相補的である。
【００８２】
プロセッサ１４７０は、周期的に、いずれのプレコーディング・マトリックスを使用するべきかについて判定する（以下で説明する）。プロセッサ１４７０は、マトリックス・インデックス部（index portion）及びランク値部（rank value portion）を含む逆方向リンク・メッセージを作成（formulates）する。データメモリ１４７２は、デバイス１４５０のプロセッサ１４７０又は他のコンポーネントにより使用されるプログラム・コード、データ及び他の情報を記憶しても良い。
【００８３】
逆方向リンク・メッセージは、通信リンク及び／又は受信データストリームに関して様々なタイプの情報を含んでも良い。逆方向リンク・メッセージは、それから、ＴＸデータプロセッサ１４３８（それはまた、データソース１４３６から幾つかのデータストリームのためのトラフィック・データを受信する）により処理され、変調器１４８０により変調され、送受信機１４５４Ａ〜１４５４Ｒにより調整され、そして、もとのデバイス１４１０へ送信される。
【００８４】
デバイス１４１０において、デバイス１４５０からの変調信号は、アンテナ１４２４により受信され、送受信機１４２２により調整され、復調器（“ＤＥＭＯＤ”）１４４０により復調され、デバイス１４５０により送信される逆方向リンク・メッセージを抽出するために、ＲＸデータプロセッサ１４４２により処理される。それから、プロセッサ１４３０は、いずれのプレコーディング・マトリックスがビームフォーミング重みの判定のために使用されるかについて判定し、それから、抽出されたメッセージを処理する。
【００８５】
図１４はまた、通信コンポーネントは、本明細書で教示されるように、干渉制御オペレーションを実行する１又は複数のコンポーネントを含んでもよいことを示す。例えば、干渉（“ＩＮＴＥＲ．”）制御コンポーネント１４９０は、本明細書で教示されるように、他のデバイス（例えば、デバイス１４５０）へ／から信号を送信／受信するために、プロセッサ１４３０及び／又はデバイス１４１０の他のコンポーネントと協調しても良い。同様に、干渉制御コンポーネント１４９２は、他のデバイス（例えば、デバイス１４１０）へ／から信号を送信／受信するために、プロセッサ１４７０及び／又はデバイス１４５０の他のコンポーネントと協調しても良い。各々のデバイス１４１０及び１４５０について、説明されたコンポーネントのうちの２つ以上の機能性が単一のコンポーネントにより提供されてもよいことは認識されるべきである。例えば、単一の処理コンポーネントが、干渉制御コンポーネント１４９０及びプロセッサ１４３０の機能性を提供しても良く、また、単一の処理コンポーネントが、干渉制御コンポーネント１４９２及びプロセッサ１４７０の機能性を提供しても良い。
【００８６】
本明細書で開示される実施形態に関連して説明される様々な例示的な論理、論理ブロック、モジュール及び回路は、汎用プロセッサ、デジタルシグナルプロセッサ（ＤＳＰ）、特定用途向け集積回路（ＡＳＩＣ）、フィールド・プログラマブル・ゲート・アレイ（ＦＰＧＡ）又は他のプログラマブル・ロジック・デバイス、個別ゲート又はトランジスタロジック、個別のハードウェアコンポーネント、又は本明細書で説明される機能を実行するようにデザインされたそれらの任意の組み合せで実装又は実行されても良い。汎用プロセッサは、マイクロプロセッサであっても良いが、代わりに、プロセッサは、任意の従来のプロセッサ、コントローラ、マイクロコントローラ、又はステートマシンであっても良い。プロセッサはまた、コンピュータ・デバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。さらに、少なくとも一つのプロセッサは、上で説明された１又は複数のステップ及び／又はアクションを実行するように構成された１又は複数のモジュールを含んでも良い。
【００８７】
さらに、本明細書で開示される態様に関連して説明される方法又はアルゴリズムのステップ及び／又はアクションは、直接、ハードウェアで実現されても良いし、プロセッサにより実行されるソフトウェア・モジュールで実現されても良いし、又は、それら２つの組み合せで実現されても良い。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ又は当該技術で既知の任意の他の形の記憶媒体の中に存在しても良い。例示的な記憶媒体は、プロセッサがその記憶媒体から情報を読み込み、また、それへ情報を書き込むことができるように、そのプロセッサに接続される。代わりに、記憶媒体は、プロセッサに一体化されていても良い。さらに、幾つかの態様において、プロセッサ及び記憶媒体は、ＡＳＩＣ中に存在しても良い。さらに、ＡＳＩＣは、ユーザ端末中に存在しても良い。代わりに、プロセッサ及び記憶媒体は、ユーザ端末の個別のコンポーネントとして存在しても良い。さらに、幾つかの態様において、方法又はアルゴリズムのステップ及び／又はアクションは、機械読み取り可能な媒体及び／又はコンピュータ読み取り可能な媒体の上のコード及び／又はインストラクションのセットの一つ又は任意の組み合せとして存在しても良い。そして、それは、コンピュータ・プログラム製品に組み込まれても良い。
【００８８】
本実施形態がソフトウェア、ファームウェア、ミドルウェア又はマイクロコード、プログラム・コード又はコード・セグメントで実装される場合、それらは、例えばストレージコンポーネントのような機械読み取り可能な媒体に記憶されることができる。コード・セグメントは、手続き、関数、サブプログラム、プログラム、ルーチン、サブルーチン、モジュール、ソフトウェア・パッケージ、クラスを表すことができ、又は、インストラクション、データ構造若しくはプログラム・ステートメントの任意の組合せを表すことができる。コード・セグメントは、情報、データ、引数、パラメータ又はメモリ内容をパス及び／又は受信することによって、他のコード・セグメント又はハードウェア回路に接続されることができる。情報、引数、パラメータ、データなどは、メモリ共有、メッセージ・パッシング、トークン・パッシング、ネットワーク伝送など含む任意の適切な手段を用いて、パス、フォワード又は送信されることができる。
【００８９】
ソフトウェア実装については、本明細書で説明される技術は、本明細書で説明される機能を実行するモジュール（例えば、手続き、関数、その他）で実装されることができる。ソフトウェア・コードは、メモリ・ユニットに記憶されて、プロセッサにより実行されることができる。メモリ・ユニットは、プロセッサの内部又は外部に実装されることが可能であり、その場合には、それは、当該技術分野において知られている様々な手段を通じて該プロセッサに通信で接続されることができる。
【００９０】
上に説明されたことは、一つ又は複数の実施形態の例を含む。前述の実施形態を説明することを目的としてコンポーネント又は手順の考えられる組み合わせをすべて説明することはもちろん可能ではないが、様々な実施形態の多数のさらなる組み合わせ又は置換が可能であることを当業者は認識できる。したがって、説明された実施形態は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。
【図１】
2014064303.tif 000003
【図２】
2014064303.tif 000004
【図３】
2014064303.tif 000005
【図４】
2014064303.tif 000006
【図５】
2014064303.tif 000007
【図６】
2014064303.tif 000008
【図７】
2014064303.tif 000009
【図８】
2014064303.tif 000010
【図９】
2014064303.tif 000011
【図１０】
2014064303.tif 000012
【図１１】
2014064303.tif 000013
【図１２】
2014064303.tif 000014
【図１３】
2014064303.tif 000015
【図１４】
2014064303.tif 000016
【手続補正書】
【提出日】平成25年12月11日(2013.12.11)
【手続補正１】
【補正対象書類名】特許請求の範囲
【補正対象項目名】全文
【補正方法】変更
【補正の内容】
【特許請求の範囲】
【請求項１】
モバイル・デバイスに提供されるセル情報を利用する方法において、
少なくとも一つの検出されたセルを含むネットワークの識別情報を判定することと、
前記ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を、前記ネットワークの前記識別情報により前記セル情報を問い合わせることによって、得ることと、
前記セル情報をメモリに保持することと、
前記少なくとも一つの検出されたセルに関連するセル特性の発見を容易にするために前記セル情報を使用することと、ここで、発見される該セル特性は、前記少なくとも一つの検出されたセルがフェムトセルかマクロセルかを示す、
発見された前記セル特性に基づいて、前記モバイル・デバイスを前記少なくとも一つの検出されたセルにハンドオフするかどうか判定することを含む方法。
【請求項２】
前記モバイル・デバイスに関連する位置情報（該位置情報は、該モバイル・デバイスの地理的な位置を示す）を判定することと、
前記位置情報により示される前記地理的な位置の近くの前記セルに関連する配備情報及びセル特性情報を得るために、前記位置情報で前記セル情報を問い合わせることを更に含む請求項１の方法。
【請求項３】
前記基地局の１又は複数の特性を判定するために、前記基地局により送信された信号を解析することを更に含み、
前記１又は複数の特性は、前記基地局により使用される周波数、前記基地局により使用される擬似乱数雑音オフセット又は前記基地局により使用されるスクランブリング・コードのうちの少なくとも一つを含む請求項１の方法。
【請求項４】
前記１又は複数の特性を、前記セル情報中に含まれる配備情報と比較することと、
前記１又は複数の特性にマッチしている配備情報にマッピングされた前記セル情報中に含まれるセル特性情報に基づいて、前記基地局のセル特性を識別することを更に含む請求項３の方法。
【請求項５】
前記少なくとも一つの検出されたセルの前記セル特性が、改善されたサービス能力を示す場合に、前記少なくとも一つの検出されたセルの捕捉を試みることを更に含み、
前記捕捉は、ハンドオフの初期セル選択又は開始のうちの少なくとも一つを含む請求項１の方法。
【請求項６】
発見された前記セル特性に基づいて、前記少なくとも一つの検出されたセルから受信される強い信号を無視することを更に含む請求項１の方法。
【請求項７】
前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する請求項１の方法。
【請求項８】
前記配備情報は、疑似乱数雑音オフセット、スクランブリング・コード、同期コード、物理セル識別情報、バンド・クラス、チャネル番号又は周波数のうちの少なくとも一つを指定する請求項１の方法。
【請求項９】
前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する請求項１の方法。
【請求項１０】
前記セル情報を得ることは、前記提供メカニズムにより前記配備情報を受信することを含む請求項１の方法。
【請求項１１】
前記提供メカニズムは、無線による提供メカニズムを含む請求項１０の方法。
【請求項１２】
前記提供メカニズムは、インターネット・プロトコル・ネットワークを介したセル情報のダウンロードを含む請求項１０の方法。
【請求項１３】
前記提供メカニズムは、前記セル情報を保持するコンピュータ読み取り可能な記憶媒体を含む請求項１０の方法。
【請求項１４】
前記セル情報を得ることは、制御チャネル又はブロードキャスト・チャネルのうちの少なくとも一つの上で前記セル情報を受信することを含む請求項１の方法。
【請求項１５】
前記セル情報中に含まれないセルを検出することと、
前記セルに関連するネットワーク情報、配備情報又はセル特性情報のうちの少なくとも一つを、前記セル情報に付加することを更に含む請求項１の方法。
【請求項１６】
モバイル・デバイスにおいて、
セル情報（該セル情報は、ネットワーク内の１又は複数のセルのネットワーク情報、配備情報及びセル特性情報を含み、該セル情報は、該ネットワーク情報、該配備情報及び該セル特性情報の間のマッピングを更に提供する）を取得する受信モジュールと、
前記１又は複数のセルからの受信信号の特性に少なくとも部分的に基づいて前記１又は複数のセルに関連するセル特性の発見を容易にするために前記セル情報を使用するセル評価モジュール（該セル評価モジュールは、受信信号の特性と、前記セル情報中に指定されたネットワーク情報、配備情報及びセル特性情報とを関連付ける）と、ここで、前記セル評価モジュールは、発見された前記セル特性に基づいて、前記モバイル・デバイスを前記１又は複数のセルにハンドオフするかどうか判定する、また、ここで、発見された前記セル特性は、前記１又は複数のセルがフェムトセルを含むかマクロセルを含むかを示す、
を含み、
前記セル評価モジュールは、
前記モバイル・デバイスにサービスする基地局を含むネットワークの識別情報を判定するネットワーク識別モジュールと、
特性（該特性は、周波数バンド、疑似乱数雑音オフセット又は同期コードのうちの少なくとも一つを含む）を評価するために、１又は複数の基地局からの受信信号を評価するパイロット情報モジュールと、
前記ネットワークの前記識別情報、又は、前記１又は複数の基地局からの前記受信信号の特性に基づいて、前記セル情報をフィルタリングする検索モジュールとを含む、
モバイル・デバイス。
【請求項１７】
前記セル情報に含まれない基地局の識別情報で前記セル情報を補うインテリジェンス・モジュールを更に含む請求項１６のモバイル・デバイス。
【請求項１８】
前記モバイル・デバイスに関連する位置情報（該位置情報は、該位置情報により特定される位置の近くにあるセルを識別するために前記セル情報をフィルタリングするために使用される）を判定する位置モジュールを更に含む請求項１６のモバイル・デバイス。
【請求項１９】
モバイル・デバイスにおいて、
少なくとも一つの検出されたセルを含むネットワークの識別情報を判定するための手段と、
前記ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を、前記ネットワークの前記識別情報により前記セル情報を問い合わせることによって、得るための手段と、
前記セル情報をメモリに記憶するための手段と、
前記少なくとも一つの検出されたセルに関連するセル特性を識別するために前記セル情報を使用するための手段と、ここで、識別される該セル特性は、前記少なくとも一つの検出されたセルがフェムトセルかマクロセルかを示す、
識別された前記セル特性に基づいて、前記モバイル・デバイスを前記少なくとも一つの検出されたセルにハンドオフするかどうか判定するための手段とを含むモバイル・デバイス。
【請求項２０】
前記モバイル・デバイスに関連する位置情報（該位置情報は、該モバイル・デバイスの地理的な位置を示す）を判定するための手段と、
前記位置情報により示される前記地理的な位置の近くの前記セルに関連する配備情報及びセル特性情報を得るために、前記位置情報で前記セル情報を問い合わせるための手段とを更に含む請求項１９のモバイル・デバイス。
【請求項２１】
前記基地局の１又は複数の特性を判定するために、前記基地局により送信された信号を解析するための手段を更に含み、
前記１又は複数の特性は、前記基地局により使用される周波数、前記基地局により使用される擬似乱数雑音オフセット又は前記基地局により使用されるスクランブリング・コードのうちの少なくとも一つを含む請求項１９のモバイル・デバイス。
【請求項２２】
前記１又は複数の特性を、前記セル情報中に含まれる配備情報と比較するための手段と、
前記１又は複数の特性にマッチしている配備情報にマッピングされた前記セル情報中に含まれるセル特性情報に基づいて、前記基地局のセル特性を識別するための手段とを更に含む請求項２１のモバイル・デバイス。
【請求項２３】
前記少なくとも一つの検出されたセルの前記セル特性が、改善されたサービス能力を示す場合に、前記少なくとも一つの検出されたセルの取得を試みるための手段を更に含み、
前記取得は、ハンドオフの初期セル選択又は開始のうちの少なくとも一つを含む請求項１９のモバイル・デバイス。
【請求項２４】
発見された前記セル特性に基づいて、前記少なくとも一つの検出されたセルから受信される強い信号を無視するための手段を更に含む請求項１９のモバイル・デバイス。
【請求項２５】
前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する請求項１９のモバイル・デバイス。
【請求項２６】
前記配備情報は、疑似乱数雑音オフセット、スクランブリング・コード、同期コード、物理セル識別情報、バンド・クラス、チャネル番号又は周波数のうちの少なくとも一つを指定する請求項１９のモバイル・デバイス。
【請求項２７】
前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する請求項１９のモバイル・デバイス。
【請求項２８】
前記セル情報を得るための前記手段は、前記提供メカニズムにより前記配備情報を受信するための手段を含む請求項１９のモバイル・デバイス。
【請求項２９】
前記提供メカニズムは、無線による提供メカニズムを含む請求項２８のモバイル・デバイス。
【請求項３０】
前記提供メカニズムは、インターネット・プロトコル・ネットワークを介したセル情報のダウンロードを含む請求項２８のモバイル・デバイス。
【請求項３１】
前記提供メカニズムは、前記セル情報を保持するコンピュータ読み取り可能な記憶媒体を含む請求項２８のモバイル・デバイス。
【請求項３２】
前記セル情報を得るための前記手段は、制御チャネル又はブロードキャスト・チャネルのうちの少なくとも一つの上で前記セル情報を受信するための手段を含む請求項１９のモバイル・デバイス。
【請求項３３】
前記セル情報中に含まれないセルを検出するための手段と、
前記セルに関連するネットワーク情報、配備情報又はセル特性情報のうちの少なくとも一つを、前記セル情報に付加するための手段とを更に含む請求項１９のモバイル・デバイス。
【請求項３４】
プログラムを記憶するコンピュータ読み取り可能な記憶媒体において、前記プログラムは、
少なくとも一つのコンピュータに、サービング基地局を含むネットワークの識別情報を判定させるためのコードと、
少なくとも一つのコンピュータに、無線による提供を介して少なくとも一つの基地局からのセル情報（該セル情報は、ネットワーク内の１又は複数のセルのネットワーク情報、配備情報及びセル特性情報を含み、該セル情報は、該ネットワーク情報、該配備情報及び該セル特性情報の間のマッピングを更に提供する）を取得させるためのコードと、
少なくとも一つのコンピュータに、前記セル情報を保持させるためのコードと、
少なくとも一つのコンピュータに、基地局の１又は複数の特性を判定するために、前記ネットワークの前記識別情報に少なくとも部分的に基づいて、該基地局からの信号を解析させるためのコードと、
少なくとも一つのコンピュータに、前記基地局に関連するセル特性を識別するために、前記基地局の１又は複数の特性と前記セル情報とを関連付けさせるためのコードと、ここで、識別される該セル特性は、前記少なくとも一つの検出されたセルがフェムトセルに対応するかマクロセルに対応するかを示す、
識別された前記セル特性に基づいて、モバイル・デバイスを前記基地局にハンドオフするかどうか判定するためのコードとを含むコンピュータ読み取り可能な記憶媒体。
【請求項３５】
前記プログラムは、
少なくとも一つのコンピュータに、前記モバイル・デバイスに関連する位置情報を判定させるためのコードと、
少なくとも一つのコンピュータに、前記位置情報に少なくとも部分的に基づいて、前記基地局の前記１又は複数の特性と、前記セル情報とを関連付けさせるためのコードとを更に含む請求項３４のコンピュータ読み取り可能な記憶媒体。
【請求項３６】
前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する請求項３４のコンピュータ読み取り可能な記憶媒体。
【請求項３７】
前記配備情報は、疑似乱数雑音オフセット、スクランブリング・コード、同期コード、物理セル識別情報、バンド・クラス、チャネル番号又は周波数のうちの少なくとも一つを指定する請求項３４のコンピュータ読み取り可能な記憶媒体。
【請求項３８】
前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する請求項３４のコンピュータ読み取り可能な記憶媒体。
【請求項３９】
モバイル・デバイスにおいて、
少なくとも一つの検出されたセルを含むネットワークの識別情報を判定し、
前記ネットワーク内の１又は複数のセルのネットワーク情報、配備情報及びセル特性情報を含むセル情報（該セル情報は、該ネットワーク情報、該配備情報の間のマッピングを更に提供する）を、前記ネットワークの前記識別情報により前記セル情報を問い合わせることによって、取得し、
前記セル情報をメモリに記憶し、
少なくとも一つの検出されたセルに関連するセル特性を発見するために前記セル情報を利用し、ここで、発見される該セル特性は、前記少なくとも一つの検出されたセルがフェムトセルかマクロセルかを示す、
発見された前記セル特性に基づいて、前記モバイル・デバイスを前記少なくとも一つの検出されたセルにハンドオフするかどうか判定するように構成されたプロセッサを含むモバイル・デバイス。
【請求項４０】
前記プロセッサは、
前記モバイル・デバイスに関連する位置情報を判定し、
前記位置情報により特定される位置の近くにある１又は複数のセルの配備情報及びセル特性を得るために、前記位置情報で前記セル情報を問い合わせるように更に構成された請求項３９のモバイル・デバイス。
【請求項４１】
前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する請求項３９のモバイル・デバイス。
【請求項４２】
前記配備情報は、疑似乱数雑音オフセット、スクランブリング・コード、同期コード、物理セル識別情報、バンド・クラス、チャネル番号又は周波数のうちの少なくとも一つを指定する請求項３９のモバイル・デバイス。
【請求項４３】
前記セル特性情報は、セルのカバレージエリア、セルの送信電力、セルがオープン又はクローズのアソシエーションを有するかどうか、セルがフェムトセル又はマクロセルのうちの一つであるどうかのうちの少なくとも一つを指定する請求項３９のモバイル・デバイス。
【手続補正２】
【補正対象書類名】明細書
【補正対象項目名】００９０
【補正方法】変更
【補正の内容】
【００９０】
上に説明されたことは、一つ又は複数の実施形態の例を含む。前述の実施形態を説明することを目的としてコンポーネント又は手順の考えられる組み合わせをすべて説明することはもちろん可能ではないが、様々な実施形態の多数のさらなる組み合わせ又は置換が可能であることを当業者は認識できる。したがって、説明された実施形態は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。 
以下に、本願出願の当初の特許請求の範囲に記載された各請求項に対応する発明を付記する。 
［１］モバイル・デバイスに提供されるセル情報を利用する方法において、 
ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を得ることと、 
前記セル情報をメモリに保持することと、 
少なくとも一つの検出されたセルに関連するセル特性の発見を容易にするために前記セル情報を使用することを含む方法。 
［２］サービング基地局を含むネットワークの識別情報を判定することと、 
前記サービング基地局を含む前記ネットワーク内のセルに関連する配備情報及びセル特性情報を得るために、前記ネットワークの前記識別情報で前記セル情報を問い合わせることを更に含む［１］の方法。 
［３］前記モバイル・デバイスに関連する位置情報（該位置情報は、該モバイル・デバイスの地理的な位置を示す）を判定することと、 
前記位置情報により示される前記地理的な位置の近くの前記セルに関連する配備情報及びセル特性情報を得るために、前記位置情報で前記セル情報を問い合わせることを更に含む［１］の方法。 
［４］前記基地局の１又は複数の特性を判定するために、前記基地局により送信された信号を解析することを更に含み、 
前記１又は複数の特性は、前記基地局により使用される周波数、前記基地局により使用される擬似乱数雑音オフセット又は前記基地局により使用されるスクランブリング・コードのうちの少なくとも一つを含む［１］の方法。 
［５］前記１又は複数の特性を、前記セル情報中に含まれる配備情報と比較することと、 
前記１又は複数の特性にマッチしている配備情報にマッピングされた前記セル情報中に含まれるセル特性情報に基づいて、前記基地局のセル特性を識別することを更に含む［４］の方法。 
［６］前記少なくとも一つの検出されたセルの前記セル特性が、改善されたサービス能力を示す場合に、前記少なくとも一つの検出されたセルの捕捉を試みることを更に含み、 
前記捕捉は、ハンドオフの初期セル選択又は開始のうちの少なくとも一つを含む［１］の方法。 
［７］発見されたセル特性に基づいて、前記少なくとも一つの検出されたセルから受信される強い信号を無視することを更に含む［１］の方法。 
［８］前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する［１］の方法。 
［９］前記配備情報は、疑似乱数雑音オフセット、スクランブリング・コード、同期コード、物理セル識別情報、バンド・クラス、チャネル番号又は周波数のうちの少なくとも一つを指定する［１］の方法。 
［１０］前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する［１］の方法。 
［１１］前記セル情報を得ることは、前記提供メカニズムにより前記配備情報を受信することを含む［１］の方法。 
［１２］前記提供メカニズムは、無線による提供メカニズムを含む［１１］の方法。 
［１３］前記提供メカニズムは、インターネット・プロトコル・ネットワークを介したセル情報のダウンロードを含む［１１］の方法。 
［１４］前記提供メカニズムは、前記セル情報を保持するコンピュータ読み取り可能な記憶媒体を含む［１１］の方法。 
［１５］前記セル情報を得ることは、制御チャネル又はブロードキャスト・チャネルのうちの少なくとも一つの上で前記セル情報を受信することを含む［１］の方法。 
［１６］前記セル情報中に含まれないセルを検出することと、 
前記セルに関連するネットワーク情報、配備情報又はセル特性情報のうちの少なくとも一つを、前記セル情報に付加することを更に含む［１］の方法。 
［１７］セル情報（該セル情報は、ネットワーク内の１又は複数のセルのネットワーク情報、配備情報及びセル特性情報を含み、該セル情報は、該ネットワーク情報、該配備情報及び該セル特性情報の間のマッピングを更に提供する）を取得する受信モジュールと、 
前記１又は複数のセルからの受信信号の特性に少なくとも部分的に基づいて前記１又は複数のセルに関連するセル特性の発見を容易にするために前記セル情報を使用するセル評価モジュール（該セル評価モジュールは、受信信号の特性と、前記セル情報中に指定されたネットワーク情報、配備情報及びセル特性情報とを関連付ける）とを含む装置。 
［１８］前記セル評価モジュールは、 
前記装置にサービスする基地局を含むネットワークの識別情報を判定するネットワーク識別モジュールと、 
特性（該特性は、周波数バンド、疑似乱数雑音オフセット又は同期コードのうちの少なくとも一つを含む）を評価するために、１又は複数の基地局からの受信信号を評価するパイロット情報モジュールと、 
前記ネットワークの前記識別情報、又は、前記１又は複数の基地局からの前記受信信号の特性に基づいて、前記セル情報をフィルタリングする検索モジュールとを含む［１７］の装置。 
［１９］前記セル情報に含まれない基地局の識別情報で前記セル情報を補うインテリジェンス・モジュールを更に含む［１７］の装置。 
［２０］前記装置に関連する位置情報（該位置情報は、該位置情報により特定される位置の近くにあるセルを識別するために前記セル情報をフィルタリングするために使用される）を判定する位置モジュールを更に含む［１７］の装置。 
［２１］ネットワーク内の１又は複数のセルのネットワーク情報、配備情報及びセル特性情報を含むセル情報（該セル情報は、該ネットワーク情報、該配備情報及び該セル特性情報の間のマッピングを更に提供する）を得るための手段と、 
前記セル情報をメモリに記憶するための手段と、 
少なくとも一つの検出されたセルに関連するセル特性を識別するために前記セル情報を使用するための手段とを含む無線通信装置。 
［２２］サービング基地局を含むネットワークの識別情報を判定するための手段と、 
前記サービング基地局を含む前記ネットワーク内のセルに関連する配備情報及びセル特性情報を得るために、前記ネットワークの前記識別情報で前記セル情報を問い合わせるための手段とを更に含む［２１］の無線通信装置。 
［２３］モバイル・デバイスに関連する位置情報（該位置情報は、該モバイル・デバイスの地理的な位置を示す）を判定するための手段と、 
前記位置情報により示される前記地理的な位置の近くの前記セルに関連する配備情報及びセル特性情報を得るために、前記位置情報で前記セル情報を問い合わせるための手段とを更に含む［２１］の無線通信装置。 
［２４］前記基地局の１又は複数の特性を判定するために、前記基地局により送信された信号を解析するための手段を更に含み、 
前記１又は複数の特性は、前記基地局により使用される周波数、前記基地局により使用される擬似乱数雑音オフセット又は前記基地局により使用されるスクランブリング・コードのうちの少なくとも一つを含む［２１］の無線通信装置。 
［２５］前記１又は複数の特性を、前記セル情報中に含まれる配備情報と比較するための手段と、 
前記１又は複数の特性にマッチしている配備情報にマッピングされた前記セル情報中に含まれるセル特性情報に基づいて、前記基地局のセル特性を識別するための手段とを更に含む［２４］の無線通信装置。 
［２６］前記少なくとも一つの検出されたセルの前記セル特性が、改善されたサービス能力を示す場合に、前記少なくとも一つの検出されたセルの取得を試みるための手段を更に含み、 前記取得は、ハンドオフの初期セル選択又は開始のうちの少なくとも一つを含む［２１］の無線通信装置。 
［２７］発見されたセル特性に基づいて、前記少なくとも一つの検出されたセルから受信される強い信号を無視するための手段を更に含む［２１］の無線通信装置。 
［２８］前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する［２１］の無線通信装置。 
［２９］前記配備情報は、疑似乱数雑音オフセット、スクランブリング・コード、同期コード、物理セル識別情報、バンド・クラス、チャネル番号又は周波数のうちの少なくとも一つを指定する［２１］の無線通信装置。 
［３０］前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する［２１］の無線通信装置。 
［３１］前記セル情報を得るための前記手段は、前記提供メカニズムにより前記配備情報を受信するための手段を含む［２１］の無線通信装置。 
［３２］前記提供メカニズムは、無線による提供メカニズムを含む［３１］の無線通信装置。 
［３３］前記提供メカニズムは、インターネット・プロトコル・ネットワークを介したセル情報のダウンロードを含む［３１］の無線通信装置。 
［３４］前記提供メカニズムは、前記セル情報を保持するコンピュータ読み取り可能な記憶媒体を含む［３１］の無線通信装置。 
［３５］前記セル情報を得るための前記手段は、制御チャネル又はブロードキャスト・チャネルのうちの少なくとも一つの上で前記セル情報を受信するための手段を含む［２１］の無線通信装置。 
［３６］前記セル情報中に含まれないセルを検出するための手段と、 
前記セルに関連するネットワーク情報、配備情報又はセル特性情報のうちの少なくとも一つを、前記セル情報に付加するための手段とを更に含む［２１］の無線通信装置。 
［３７］少なくとも一つのコンピュータに、無線による提供を介して少なくとも一つの基地局からのセル情報（該セル情報は、ネットワーク内の１又は複数のセルのネットワーク情報、配備情報及びセル特性情報を含み、該セル情報は、該ネットワーク情報、該配備情報及び該セル特性情報の間のマッピングを更に提供する）を取得させるためのコードと、 
少なくとも一つのコンピュータに、前記セル情報を保持させるためのコードと、 
少なくとも一つのコンピュータに、基地局の１又は複数の特性を判定するために、該基地局からの信号を解析させるためのコードと、 
少なくとも一つのコンピュータに、前記基地局に関連するセル特性を識別するために、前記基地局の１又は複数の特性と前記セル情報とを関連付けさせるためのコードとを含むコンピュータ読み取り可能な媒体を含むコンピュータ・プログラム製品。
［３８］前記コンピュータ読み取り可能な媒体は、 
少なくとも一つのコンピュータに、サービング基地局を含むネットワークの識別情報を判定させるためのコードと、 
少なくとも一つのコンピュータに、前記ネットワークの前記識別情報に少なくとも部分的に基づいて、前記基地局の前記１又は複数の特性と、前記セル情報とを関連付けさせるためのコードとを更に含む［３７］のコンピュータ・プログラム製品。 
［３９］前記コンピュータ読み取り可能な媒体は、 
少なくとも一つのコンピュータに、モバイル・デバイスに関連する位置情報を判定させるためのコードと、 
少なくとも一つのコンピュータに、前記位置情報に少なくとも部分的に基づいて、前記基地局の前記１又は複数の特性と、前記セル情報とを関連付けさせるためのコードとを更に含む［３７］のコンピュータ・プログラム製品。 
［４０］前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する［３７］のコンピュータ・プログラム製品。 
［４１］前記配備情報は、疑似乱数雑音オフセット、スクランブリング・コード、同期コード、物理セル識別情報、バンド・クラス、チャネル番号又は周波数のうちの少なくとも一つを指定する［３７］のコンピュータ・プログラム製品。 
［４２］前記セル特性情報は、セルのカバレージエリア、セルの送信電力、セルがオープン又はクローズのアソシエーションを有するかどうか、セルがフェムトセル又はマクロセルのうちの一つであるどうか、のうちの少なくとも一つを指定する［３７］のコンピュータ・プログラム製品。 
［４３］ネットワーク内の１又は複数のセルのネットワーク情報、配備情報及びセル特性情報を含むセル情報（該セル情報は、該ネットワーク情報、該配備情報の間のマッピングを更に提供する）を取得し、 
前記セル情報をメモリに記憶し、 
少なくとも一つの検出されたセルに関連するセル特性を発見するために前記セル情報を利用するように構成されたプロセッサを含む無線通信装置。 
［４４］前記プロセッサは、 
サービング基地局を含むネットワークの識別情報を判定し、 
前記ネットワークに関連する１又は複数のセルの配備情報及びセル特性を得るために、前記ネットワークの前記識別情報で前記セル情報を問い合わせるように更に構成された［４３］の無線通信装置。 
［４５］前記プロセッサは、 
モバイル・デバイスに関連する位置情報を判定し、 
前記位置情報により特定される位置の近くにある１又は複数のセルの配備情報及びセル特性を得るために、前記位置情報で前記セル情報を問い合わせるように更に構成された［４３］の無線通信装置。 
［４６］前記ネットワーク情報は、システム識別番号、ネットワーク識別番号、モバイル国コード、モバイル・ネットワーク・コード、公衆地上モバイル・ネットワーク又はロケーション・エリアのうちの少なくとも一つを指定する［４３］の無線通信装置。 
［４７］前記配備情報は、疑似乱数雑音オフセット、スクランブリング・コード、同期コード、物理セル識別情報、バンド・クラス、チャネル番号又は周波数のうちの少なくとも一つを指定する［４３］の無線通信装置。 
［４８］前記セル特性情報は、セルのカバレージエリア、セルの送信電力、セルがオープン又はクローズのアソシエーションを有するかどうか、セルがフェムトセル又はマクロセルのうちの一つであるどうかのうちの少なくとも一つを指定する［４３］の無線通信装置。
【外国語明細書】
2014064303000001.pdf